(57)【要約】ランプクリップ１８は、複数本の管状をなす冷陰極管１７が収容されるシャーシ１４に対して取り付けられる本体部２７と、本体部２７における冷陰極管１７との対向面に設けられ、冷陰極管１７を把持可能なランプ把持部２８と、本体部２７からシャーシ１４側へ突出し、シャーシ１４に形成された第１取付孔３２内に挿入されるとともに本体部２７との間で第１取付孔３２の周縁部を挟持可能な第１取付部３０と、本体部２７からシャーシ１４側へ突出し、シャーシ１４に形成された第２取付孔３３内に挿入されるとともに本体部２７との間で第２取付孔３３の周縁部を挟持可能で、且つシャーシ１４に対する取付方向に対する幅寸法が第１取付部３０とは異なる第２取付部３１とを備える。
2009093390.tif 000002
【特許請求の範囲】
【請求項１】
被取付部材に対して取り付けられる本体部と、
前記本体部に設けられ、管状のランプを把持可能なランプ把持部と、
前記本体部から前記被取付部材側へ突出し、前記被取付部材に形成された第１取付孔内に挿入されるとともに前記本体部との間で前記第１取付孔の周縁部を挟持可能な第１取付部と、
前記本体部から前記被取付部材側へ突出し、前記被取付部材に形成された第２取付孔内に挿入されるとともに前記本体部との間で前記第２取付孔の周縁部を挟持可能で、且つ大きさが前記第１取付部とは異なる第２取付部とを備えるランプ保持具。
【請求項２】
前記第１取付部及び前記第２取付部は、それぞれ前記本体部から前記被取付部材側へ突出する基部と、前記基部から前記本体部に沿う向きに突出する片部とから構成され、前記各片部は、対応する前記第１取付孔及び前記第２取付孔に挿入された状態からその突出方向に向けてスライドされることで、前記本体部との間で前記第１取付孔または前記第２取付孔の周縁部を挟持可能とされており、
前記第１取付部及び前記第２取付部は、スライド方向に沿い且つ前記スライド方向と直交する方向についての寸法が互いに異なっている請求の範囲第１項記載のランプ保持具。
【請求項３】
前記本体部は、略矩形状をなし、その長さ方向が前記スライド方向と一致している請求の範囲第２項記載のランプ保持具。
【請求項４】
前記第１取付部は、前記本体部における前記スライド方向の前端部よりもさらに突出して形成されている請求の範囲第２項または請求の範囲第３項に記載のランプ保持具。
【請求項５】
前記第１取付部の先端部には、先端側に行くに連れて前記本体部との間の距離が次第に増加する形態のガイド部が設けられている請求の範囲第４項記載のランプ保持具。
【請求項６】
前記本体部には、前記ランプ把持部よりも高い位置に突出し着脱時に操作可能とされる操作部が、前記本体部における前記スライド方向の後側に偏心した位置に設けられている請求の範囲第３項から請求の範囲第５項のいずれか１項に記載のランプ保持具。
【請求項７】
前記操作部は、前記被取付部材に対して前記各ランプを挟んだ位置に配される面状の光学部材を支持可能とされる請求の範囲第６項記載のランプ保持具。
【請求項８】
本体部と、前記本体部に設けられ管状のランプを把持可能なランプ把持部と、前記本体部から前記ランプ把持部側とは反対側へ突出する複数の取付部とを備えるランプ保持具が取り付けられるものであって、
前記各取付部がそれぞれ挿入される複数の取付孔を有し、これら各取付孔の周縁部が前記本体部と前記取付部との間で挟持されるようになっており、且つ前記各取付孔の大きさが互いに異なるよう形成されている被取付部材。
【請求項９】
複数本の管状をなすランプと、
前記各ランプが収容されるとともに、互いに大きさが異なる第１取付孔と第２取付孔とが開口して設けられる被取付部材と、
前記被取付部材に対して取り付けられる本体部と、前記本体部から前記ランプ側に突出してランプを把持可能なランプ把持部と、前記本体部から前記被取付部材側へ突出し、前記第１取付孔内に挿入されるとともに前記本体部との間で前記第１取付孔の周縁部を挟持可能な第１取付部と、前記本体部から前記被取付部材側へ突出し、前記第２取付孔内に挿入されるとともに前記本体部との間で前記第２取付孔の周縁部を挟持可能で、且つ大きさ前記第１取付部とは異なる第２取付部とを有するランプ保持具とを備え、
前記第１取付部及び前記第２取付部のうち大きい方の取付部が、前記第１取付孔及び前記第２取付孔のうち小さい方の取付孔よりも大きく形成されている照明装置。
【請求項１０】
前記被取付部材に対して前記各ランプを挟んだ位置に配される面状の光学部材を備えるとともに、前記ランプ保持具が前記被取付部材に対して複数取り付けられており、
前記各ランプ保持具は、前記本体部における偏心した位置に前記光学部材を支持可能な支持部を備え、且つ前記各支持部が前記光学部材の面方向に沿って設定された基準線側に偏心するように配置されている請求の範囲第９項記載の照明装置。
【請求項１１】
前記被取付部材に対して前記各ランプを挟んだ位置に配される面状の光学部材を備えるとともに、前記ランプ保持具が前記被取付部材に対して複数取り付けられており、
前記各ランプ保持具は、前記本体部における偏心した位置に前記光学部材を支持可能な支持部を備え、且つ前記光学部材の面方向に沿って設定された基準線から前記本体部における中心までの距離よりも、前記基準線から前記支持部までの距離の方が小さくなるよう配されている請求の範囲第９項記載の照明装置。
【請求項１２】
前記基準線は、前記光学部材における中央位置を通るよう設定されている請求の範囲第１０項または請求の範囲第１１項記載の照明装置。
【請求項１３】
前記各ランプ保持具は、前記基準線側ほど設置数が多くなるよう配置されている請求の範囲第１０項から請求の範囲第１２項のいずれか１項に記載の照明装置。
【請求項１４】
前記被取付部材における前記ランプ保持具の設置領域は、前記基準線を境に第１領域と第２領域とに分けられ、前記第１領域に対して取り付けられる第１のランプ保持具群と、前記第２領域に対して取り付けられる第２のランプ保持具群とで互いの取付状態が異なっている請求の範囲第１０項から請求の範囲第１３項のいずれか１項に記載の照明装置。
【請求項１５】
前記基準線は、前記各ランプの長さ方向とほぼ平行な向きに設定されている請求の範囲第１０項から請求の範囲第１４項のいずれか１項に記載の照明装置。
【請求項１６】
前記各ランプ保持具は、前記本体部が矩形状をなしその長さ方向が前記基準線と交差する向きに設定されるとともに、前記ランプ把持部が複数備えられ且つ各ランプ把持部が異なる前記ランプを把持するよう形成されている請求の範囲第１５項記載の照明装置。
【請求項１７】
前記本体部が矩形状をなしており、
前記支持部は、前記本体部における中心から長さ方向について偏心した位置に配されている請求の範囲第１０項から請求の範囲第１６項のいずれか１項に記載の照明装置。
【請求項１８】
前記本体部には、その長さ方向について互いに離間した位置に前記ランプ把持部が複数配置されており、
前記支持部は、前記各ランプ把持部の間の位置に配されている請求の範囲第１７項記載の照明装置。
【請求項１９】
前記光学部材は、矩形状をなしており、
前記基準線は、前記光学部材における長辺方向と平行に延びる設定とされている請求の範囲第１０項から請求の範囲第１８項のいずれか１項に記載の照明装置。
【請求項２０】
前記光学部材は、矩形状をなしており、
前記基準線は、前記光学部材における短辺方向と平行に延びる設定とされている請求の範囲第１０項から請求の範囲第１８項のいずれか１項に記載の照明装置。
【請求項２１】
前記シャーシは、矩形状をなしており、
前記基準線は、前記シャーシにおける長辺方向と平行に延びる設定とされている請求の範囲第１０項から請求の範囲第２０項のいずれか１項に記載の照明装置。
【請求項２２】
前記シャーシは、矩形状をなしており、
前記基準線は、前記シャーシにおける短辺方向と平行に延びる設定とされている請求の範囲第１０項から請求の範囲第２０項のいずれか１項に記載の照明装置。
【請求項２３】
前記ランプ保持具は、前記ランプ把持部が複数備えられ、各ランプ把持部が異なる前記ランプを把持するよう形成され、且つ各ランプ把持部間の間隔が互いに異なる設定とされている請求の範囲第９項から請求の範囲第２２項のいずれか１項に記載の照明装置。
【請求項２４】
前記各ランプは、前記被取付部材における中央側ほど分布密度が高くなるよう取り付けられており、
前記被取付部材における中央側に配される前記ランプ保持具における前記各ランプ把持部間の間隔の最大値は、そのランプ保持具よりも前記被取付部材における端側に配される前記ランプ保持具における前記各ランプ把持部間の間隔の最小値よりも小さくなるよう設定されている請求の範囲第２３項記載の照明装置。
【請求項２５】
請求の範囲第９項から請求の範囲第２４項のいずれか１項に記載の照明装置と、この照明装置の表側に配される表示パネルとからなる表示装置。
【請求項２６】
前記表示パネルは、一対の基板間に液晶を封入してなる液晶パネルとされる請求の範囲第２５項記載の表示装置。
【請求項２７】
請求の範囲第２５項または請求の範囲第２６項に記載された表示装置を備えるテレビ受信装置。
【発明の詳細な説明】
【技術分野】
【０００１】
本発明は、ランプ保持具、被取付部材、照明装置、表示装置及びテレビ受信装置に関する。
【背景技術】
【０００２】
例えば、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、金属製や樹脂製で液晶パネル側の面が開口したシャーシと、ランプとしてシャーシ内に収容される多数本の蛍光管（例えば冷陰極管）と、シャーシの開口部分に配されて冷陰極管が発する光を効率的に液晶パネル側へ放出させるための多数枚の光学部材（拡散シート等）と、細長い管状をなす冷陰極管の中間部分を支持するためのランプクリップとを備える。なお、この種のランプクリップの一例として下記特許文献１に記載されたものが知られている。
【特許文献１】特開２００７−１７３２５０公報
【発明の開示】
【０００３】
（発明が解決しようとする課題）
ところで、バックライト装置の設計によっては、各ランプクリップのシャーシへの取付向きが特定の状態でないと問題が生じる場合があり得る。しかしながら、従来のランプクリップではそのようなケースへの配慮がなされていないため、例えば取り付け作業を行う作業者への指示を徹底するなどの不確実性を内包した対策を処するに留まっており、対応に苦慮していた。
【０００４】
本発明は上記のような事情に基づいて完成されたものであって、設定した取付状態とは異なる状態で取り付けられるのを防ぐことを目的とする。
【０００５】
（課題を解決するための手段）
本発明のランプ保持具は、複数本の管状をなすランプが収容される被取付部材に対して取り付けられる本体部と、前記本体部における前記ランプとの対向面に設けられ、前記ランプを把持可能なランプ把持部と、前記本体部から前記被取付部材側へ突出し、前記被取付部材に形成された第１取付孔内に挿入されるとともに前記本体部との間で前記第１取付孔の周縁部を挟持可能な第１取付部と、前記本体部から前記被取付部材側へ突出し、前記被取付部材に形成された第２取付孔内に挿入されるとともに前記本体部との間で前記第２取付孔の周縁部を挟持可能で、且つ大きさが前記第１取付部とは異なる第２取付部とを備える。
【０００６】
このように、第１取付部と第２取付部とで大きさを異ならせるようにしたから、被取付部材における第１取付孔及び第２取付孔の大きさの関係を第１取付部及び第２取付部の同関係に対応させれば、各取付部が対応する各取付孔に整合しない限り、大きい方の取付部が小さい方の取付孔に対して挿入不能となる。これにより、被取付部材に対して設定した取付状態とは異なる状態で取り付けられるのを確実に規制することができる。
【０００７】
本発明の実施態様として、次の構成が好ましい。
（１）前記第１取付部及び前記第２取付部は、それぞれ前記本体部から前記被取付部材側へ突出する基部と、前記基部から前記本体部に沿う向きに突出する片部とから構成され、前記各片部は、対応する前記第１取付孔及び前記第２取付孔に挿入された状態からその突出方向に向けてスライドされることで、前記本体部との間で前記第１取付孔または前記第２取付孔の周縁部を挟持可能とされており、前記第１取付部及び前記第２取付部は、スライド方向に沿い且つ前記スライド方向と直交する方向についての寸法が互いに異なっている構成とする。このようにすれば、スライド取り付け式のものに好適となる。
【０００８】
（２）前記本体部は、略矩形状をなし、その長さ方向が前記スライド方向と一致している構成とする。このようにすれば、取付状態で本体部によって第１取付孔及び第２取付孔を閉塞するにあたり、本体部の幅寸法が小さなものに好適となる。
【０００９】
（３）前記第１取付部は、前記本体部における前記スライド方向の前端部よりもさらに突出して形成される構成とする。このようにすれば、本体部を取り付ける際に第１取付部の突出部分を第１取付孔に対して先行して挿入することが容易にできるので、作業性に優れる。
【００１０】
（４）前記第１取付部の先端部には、先端側に行くに連れて前記本体部との間の距離が次第に増加する形態のガイド部が設けられる構成とする。このようにすれば、ガイド部によって第１取付孔への挿入動作がガイドされるので、作業性に一層優れる。
【００１１】
（５）前記本体部には、前記ランプ把持部よりも高い位置に突出し着脱時に操作可能とされる操作部が、前記本体部における前記スライド方向の後側に偏心した位置に設けられる構成とする。このようにすれば、本体部のうちスライド方向の後側に偏心した位置に設けられた操作部を操作しつつ、その反対のスライド方向の前端部から突出する第１取付部を第１取付孔に先行して挿入することができるので、作業性に優れる。
【００１２】
（６）前記操作部は、前記被取付部材に対して前記各ランプを挟んだ位置に配される面状の光学部材を支持可能とされる構成とする。このようにすれば、操作部に光学部材を支持する機能を併せ持たせることができるので、簡素な構造で多機能化を図ることができる。
【００１３】
次に、上記課題を解決するために、本発明の被取付部材は、本体部と、前記本体部に設けられ管状のランプを把持可能なランプ把持部と、前記本体部から前記ランプ把持部側とは反対側へ突出する複数の取付部とを備えるランプ保持具が取り付けられるものであって、前記各取付部がそれぞれ挿入される複数の取付孔を有し、これら各取付孔の周縁部が前記本体部と前記取付部との間で挟持されるようになっており、且つ前記各取付孔の大きさが互いに異なるよう形成されている。
【００１４】
このように、各取付孔の大きさを互いに異ならせるようにしたから、ランプ保持具における各取付部の大きさの関係を各取付孔の同関係に対応させれば、各取付部が対応する各取付孔に整合しない限り、大きい方の取付部が小さい方の取付孔に対して挿入不能となる。これにより、ランプ保持具が設定した取付状態とは異なる状態で取り付けられるのを確実に規制することができる。
【００１５】
次に、上記課題を解決するために、本発明の照明装置は、複数本の管状をなすランプと、前記各ランプが収容されるとともに、互いに大きさが異なる第１取付孔と第２取付孔とが開口して設けられる被取付部材と、前記被取付部材に対して取り付けられる本体部と、前記本体部から前記ランプ側に突出してランプを把持可能なランプ把持部と、前記本体部から前記被取付部材側へ突出し、前記第１取付孔内に挿入されるとともに前記本体部との間で前記第１取付孔の周縁部を挟持可能な第１取付部と、前記本体部から前記被取付部材側へ突出し、前記第２取付孔内に挿入されるとともに前記本体部との間で前記第２取付孔の周縁部を挟持可能で、且つ大きさ前記第１取付部とは異なる第２取付部とを有するランプ保持具とを備え、前記第１取付部及び前記第２取付部のうち大きい方の取付部が、前記第１取付孔及び前記第２取付孔のうち小さい方の取付孔よりも大きく形成される構成とされる。
【００１６】
このようにすれば、ランプ保持具における各取付部が、被取付部材における対応する各取付孔に整合しない限り、大きい方の取付部が小さい方の取付孔に対して挿入不能となる。これにより、ランプ保持具が被取付部材に対して設定した取付状態とは異なる状態で取り付けられるのを確実に規制することができる。
【００１７】
本発明の実施態様として、次の構成が好ましい。
（１）前記被取付部材に対して前記各ランプを挟んだ位置に配される面状の光学部材を備えるとともに、前記ランプ保持具が前記被取付部材に対して複数取り付けられており、前記各ランプ保持具は、前記本体部における偏心した位置に前記光学部材を支持可能な支持部を備え、且つ前記各支持部が前記光学部材の面方向に沿って設定された基準線側に偏心するように配置されている構成とする。このように、ランプ保持具は、各本体部において偏心した位置に配置された各支持部が光学部材の面方向に沿って設定された基準線側に偏心するよう、取付状態が規制されるから、確実に光学部材の面内における各支持部の分布密度が基準線側ほど高くなる傾向となる。そして、この基準線を光学部材における撓みや反りの発生が懸念される位置に設定することで、光学部材を各支持部によって良好に支持して撓みや反りの発生を確実に防ぐことができる。
【００１８】
（２）前記被取付部材に対して前記各ランプを挟んだ位置に配される面状の光学部材を備えるとともに、前記ランプ保持具が前記被取付部材に対して複数取り付けられており、前記各ランプ保持具は、前記本体部における偏心した位置に前記光学部材を支持可能な支持部を備え、且つ前記光学部材の面方向に沿って設定された基準線から前記本体部における中心までの距離よりも、前記基準線から前記支持部までの距離の方が小さくなるよう配されている。このように、各ランプ保持具は、各支持部が各本体部において偏心した位置に配された上で、光学部材の面方向に沿って設定された基準線から支持部までの距離が、基準線から本体部における中心までの距離よりも小さくなっているから、確実に光学部材の面内における各支持部の分布密度が基準線側ほど高くなる傾向となる。そして、この基準線を光学部材における撓みや反りの発生が懸念される位置に設定することで、光学部材を各支持部によって良好に支持して撓みや反りの発生を確実に防ぐことができる。
【００１９】
（３）前記基準線は、前記光学部材における中央位置を通るよう設定される構成とする。このようにすれば、光学部材において構造上最も撓みや反りの発生が懸念される部分を各支持部によって確実に支持することができる。
【００２０】
（４）前記各ランプ保持具は、前記基準線側ほど設置数が多くなるよう配置される構成とする。このようにすれば、基準線付近における光学部材に対する撓みや反りの規制機能を向上させることができる。
【００２１】
（５）前記被取付部材における前記ランプ保持具の設置領域は、前記基準線を境に第１領域と第２領域とに分けられ、前記第１領域に対して取り付けられる第１のランプ保持具群と、前記第２領域に対して取り付けられる第２のランプ保持具群とで互いの取付状態が異なる構成とする。このようにすれば、互いに異なる取付状態とされた第１のランプ保持具群の各支持部と第２のランプ保持具群の各支持部とによって光学部材の撓みや反りを良好に規制することができる。
【００２２】
（６）前記基準線は、前記各ランプの長さ方向とほぼ平行な向きに設定されている。このようにすれば、ランプの長さ方向と交差する方向について各支持部の分布密度を基準線側ほど高くすることができる。
【００２３】
（７）前記各ランプ保持具は、前記本体部が矩形状をなしその長さ方向が前記基準線と交差する向きに設定されるとともに、前記ランプ把持部が複数備えられ且つ各ランプ把持部が異なる前記ランプを把持するよう形成される構成とする。このようにすれば、被取付部材内に取り付けられる各ランプを良好に保持することができる。
【００２４】
（８）また、前記本体部が矩形状をなしており、前記支持部は、前記本体部における中心から長さ方向について偏心した位置に配されている。
【００２５】
（９）また、前記本体部には、その長さ方向について互いに離間した位置に前記ランプ把持部が複数配置されており、前記支持部は、前記各ランプ把持部の間の位置に配されている。
【００２６】
（１０）また、前記光学部材は、矩形状をなしており、前記基準線は、前記光学部材における長辺方向と平行に延びる設定とされている。
【００２７】
（１１）また、前記光学部材は、矩形状をなしており、前記基準線は、前記光学部材における短辺方向と平行に延びる設定とされている。
【００２８】
（１２）また、前記シャーシは、矩形状をなしており、前記基準線は、前記シャーシにおける長辺方向と平行に延びる設定とされている。
【００２９】
（１３）また、前記シャーシは、矩形状をなしており、前記基準線は、前記シャーシにおける短辺方向と平行に延びる設定とされている。
【００３０】
（１４）前記ランプ保持具は、前記ランプ把持部が複数備えられ、各ランプ把持部が異なる前記ランプを把持するよう形成され、且つ各ランプ把持部間の間隔が互いに異なる設定とされる構成とする。このようにすれば、ランプ保持具は、各ランプ把持部が被取付部材内に取り付けられる各ランプ間の間隔と対応した位置に配されるよう、取付状態が規制されるから、各ランプ把持部に、対応する各ランプを確実に把持させることができる。
【００３１】
（１５）前記各ランプは、前記被取付部材における中央側ほど分布密度が高くなるよう取り付けられており、前記被取付部材における中央側に配される前記ランプ保持具における前記各ランプ把持部間の間隔の最大値は、そのランプ保持具よりも前記被取付部材における端側に配される前記ランプ保持具における前記各ランプ把持部間の間隔の最小値よりも小さくなるよう設定される構成とする。このようにすれば、被取付部材における中央側ほどランプの分布密度を高くすることで、高い輝度を得ることができる。そして、不等ピッチ配列された各ランプを各ランプ保持具の各ランプ把持部によって良好に保持することができる。
【００３２】
次に、上記課題を解決するために、本発明の表示装置は、上記記載の照明装置と、この照明装置の表側に配される表示パネルとを備える。
【００３３】
このような表示装置によると、表示パネルに光を照射する照明装置においてランプを保持するランプ保持具が適切に取り付けられるから、表示不良などの不具合が生じるのを防ぐことができる。
【００３４】
前記表示パネルとしては液晶パネルを例示することができる。このような表示装置は液晶表示装置として、種々の用途、例えばテレビやパソコンのデスクトップ画面等に適用でき、特に大型画面用として好適である。
【００３５】
（発明の効果）
本発明によれば、設定した取付状態とは異なる状態で取り付けられるのを防ぐことができる。
【図面の簡単な説明】
【００３６】
【図１】本発明の実施形態１に係るテレビ受信装置の概略構成を示す分解斜視図
【図２】液晶表示装置の概略構成を示す分解斜視図
【図３】液晶表示装置を短辺方向に沿って切断した状態を表す断面図
【図４】液晶表示装置を長辺方向に沿って切断した状態を表す断面図
【図５】ランプクリップの正面図
【図６】ランプクリップの平面図
【図７】ランプクリップの底面図
【図８】ランプクリップの側面図
【図９】シャーシに各ランプクリップを取り付けた状態を示す平面図
【図１０】シャーシ及び反射シートの平面図
【図１１】シャーシ及び反射シートの拡大平面図
【図１２】液晶表示装置におけるランプクリップの取付状態を示す断面図
【図１３】図１２のＡ−Ａ線断面図
【図１４】図１２のＢ−Ｂ線断面図
【図１５】図１２のＣ−Ｃ線断面図
【図１６】図１２のＤ−Ｄ線断面図
【図１７】図１２のＥ−Ｅ線断面図
【図１８】ランプクリップをシャーシに取り付ける前の状態を示す断面図
【図１９】ランプクリップを取り付ける途中で本体部を傾けた状態を示す断面図
【図２０】ランプクリップを取り付ける途中で本体部をスライドさせる前の状態を示す断面図
【図２１】ランプクリップを正規とは反対の取付向きで取り付けようとし、第１取付部が第２取付孔の周縁部に干渉した状態を示す断面図
【図２２】本発明の実施形態２に係るシャーシにランプクリップを取り付けた状態を示す平面図
【図２３】本発明の実施形態３に係るシャーシにランプクリップを取り付けた状態を示す平面図
【図２４】実施形態３の変形例に係るシャーシにランプクリップを取り付けた状態を示す平面図
【図２５】本発明の実施形態４に係るランプクリップの底面図
【図２６】シャーシの拡大平面図
【図２７】実施形態４の変形例に係るランプクリップの底面図
【図２８】シャーシの拡大平面図
【図２９】本発明の実施形態５に係るランプクリップの本体部の側断面図
【図３０】本発明の実施形態６に係るランプクリップの本体部の側断面図
【図３１】本発明の実施形態７に係るランプクリップの本体部の側断面図
【図３２】本発明の実施形態８に係るランプクリップのランプ把持部の側断面図
【図３３】本発明の実施形態９に係るランプクリップのランプ把持部の側断面図
【図３４】本発明の実施形態１０に係るランプクリップのランプ把持部の側断面図
【図３５】本発明の実施形態１１に係るランプクリップのランプ把持部の側断面図
【図３６】本発明の実施形態１２に係るランプクリップの正面図
【図３７】ランプクリップをシャーシに取り付けた状態を示す平面図
【図３８】本発明の実施形態１３に係るランプクリップの平面図
【図３９】本発明の実施形態１４に係るランプクリップをシャーシに取り付けた状態を示す正断面図
【図４０】本発明の実施形態１５に係るランプクリップのランプ把持部における保持突起の平断面図
【図４１】ランプ把持部のアーム部の平断面図
【図４２】本発明の実施形態１６に係るランプクリップのランプ把持部における保持突起の平断面図
【図４３】実施形態１６の変形例に係る保持突起の平断面図
【図４４】他の実施形態（１）及び（５）のランプクリップの正面図
【図４５】他の実施形態（１）及び（５）のランプクリップの平面図
【図４６】他の実施形態（７）のシャーシの平面図
【符号の説明】
【００３７】
１０…液晶表示装置（表示装置）
１１…液晶パネル（表示パネル）
１２…バックライト装置（照明装置）
１４…シャーシ（被取付部材）
１５ａ…拡散板（光学部材）
１５ｂ…光学シート（光学部材）
１７…冷陰極管（ランプ）
１８…ランプクリップ（ランプ保持具）
１８Ａ…第１のランプクリップ群（第１のランプ保持具群）
１８Ｂ…第２のランプクリップ群（第２のランプ保持具群）
２７…本体部
２８…ランプ把持部
２９…支持ピン（操作部、支持部）
３０…第１取付部
３１…第２取付部
３２…第１取付孔
３３…第２取付孔
４６…基部
４７…片部
４８…ガイド部
４９…基部
５０…片部
Ａ１…第１領域
Ａ２…第２領域
ＣＣ…中心（本体部における中心）
Ｌ１…基準線
ＰＴｍａｘ…最大値
ＰＴｍｉｎ…最小値
ＴＶ…テレビ受信装置
Ｗ１，Ｗ２…幅寸法
【発明を実施するための最良の形態】
【００３８】
＜実施形態１＞
本発明の実施形態１を図１から図２１によって説明する。
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長の方形を成し、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。なお、各図面の一部にはＸ軸、Ｙ軸及びＺ軸を示しており、各軸方向が各図面で示した方向となるように描かれている。【００３９】
次に、液晶表示装置１０を構成する液晶パネル１１及びバックライト装置１２について説明する（図２ないし図４参照）。
液晶パネル（表示パネル）１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板１１ａ，１１ｂが配されている（図３及び図４参照）。【００４０】
バックライト装置１２は、図２に示すように、光出射面側（液晶パネル１１側）に開口した略箱型をなすシャーシ１４と、シャーシ１４の開口部１４ｂを覆うようにして配される拡散板１５ａと、拡散板１５ａと液晶パネル１１との間に配される複数の光学シート１５ｂと、シャーシ１４の長辺に沿って配され拡散板１５ａの長辺縁部をシャーシ１４との間で挟んで保持するフレーム１６とを備える。さらに、シャーシ１４内には、冷陰極管（光源）１７と、冷陰極管１７をシャーシ１４に取り付けるためのランプクリップ１８と、冷陰極管１７の各端部において電気的接続の中継を担う中継コネクタ１９と、冷陰極管１７群の端部及び中継コネクタ１９群を一括して覆うホルダ２０とを備える。なお、当該バックライト装置１２においては、冷陰極管１７よりも拡散板１５ａ側が光出射側となっている。なお、図２〜図４においてはランプクリップ１８の図示を省略している。【００４１】
シャーシ１４は、金属製とされ、矩形状の底板と、その各辺から立ち上がり略Ｕ字状に折り返された折返し外縁部２１（短辺方向の折返し外縁部２１ａ及び長辺方向の折返し外縁部２１ｂ）とからなる浅い略箱型に板金成形されている。シャーシ１４の底板には、その長辺方向の両端部に、中継コネクタ１９を取り付けるための取付孔２２が複数穿設されている。さらに、シャーシ１４の折返し外縁部２１ｂの上面には、図３に示すように、固定孔１４ｃが穿設されており、例えばネジ等によりベゼル１３、フレーム１６、及びシャーシ１４等を一体化することが可能とされている。【００４２】
シャーシ１４の底板の内面側（冷陰極管１７と対向する面側）には反射シート２３が配設されている。反射シート２３は、合成樹脂製とされ、その表面が反射性に優れた白色とされており、シャーシ１４の底板面の内側に沿ってそのほぼ全域を覆うように敷かれている。当該反射シート２３の長辺縁部は、図３に示すように、シャーシ１４の折返し外縁部２１ｂを覆うように立ち上がり、シャーシ１４と拡散板１５ａとに挟まれた状態とされている。この反射シート２３により、冷陰極管１７から出射された光を拡散板１５ａ側に反射させることが可能となっている。【００４３】
冷陰極管１７は、細長い管状をなしており、その長さ方向（軸方向）をシャーシ１４の長辺方向と一致させた状態で、かつ多数本が互いに平行に並んだ状態でシャーシ１４内に収容されている（図２参照）。なお、冷陰極管１７は、シャーシ１４の底板（反射シート２３）から僅かに浮いた状態とされており、その各端部が中継コネクタ１９に嵌め込まれ、これら中継コネクタ１９を被覆するようにホルダ２０が取り付けられている。【００４４】
ホルダ２０は、白色を呈する合成樹脂製とされ、冷陰極管１７の端部を覆い、シャーシ１４の短辺方向に沿って延びる細長い略箱型をなしている。当該ホルダ２０は、図４に示すように、その表面側に拡散板１５ａないし液晶パネル１１を段違いに載置可能な階段状面を有するとともに、シャーシ１４の短辺方向の折返し外縁部２１ａと一部重畳した状態で配されており、折返し外縁部２１ａとともに当該バックライト装置１２の側壁を形成している。ホルダ２０のうちシャーシ１４の折返し外縁部２１ａと対向する面からは挿入ピン２４が突出しており、当該挿入ピン２４がシャーシ１４の折返し外縁部２１ａの上面に形成された挿入孔２５に挿入されることで、当該ホルダ２０はシャーシ１４に取り付けられるものとされている。
ホルダ２０の階段状面はシャーシ１４の底板面と平行な３面からなり、最も低い位置にある第１面２０ａには拡散板１５ａの短辺縁部が載置されている。さらに、第１面２０ａからは、シャーシ１４の底板面に向けて傾斜する傾斜カバー２６が延出している。ホルダ２０の階段状面の第２面２０ｂには、液晶パネル１１の短辺縁部が載置されている。ホルダ２０の階段状面のうち最も高い位置にある第３面２０ｃは、シャーシ１４の折返し外縁部２１ａと重畳する位置に配され、ベゼル１３と接触するものとされている。【００４５】
拡散板１５ａは、合成樹脂製の板状部材に光散乱粒子が分散配合されてなり、管状光源たる冷陰極管１７から出射される線状の光を拡散する機能を有する。拡散板１５ａの短辺縁部は上記したようにホルダ２０の第１面２０ａ上に載置されており、上下方向の拘束力を受けないものとされている。一方、拡散板１５ａの長辺縁部は、図３に示すように、シャーシ１４（反射シート２３）とフレーム１６とに挟まれることで固定されている。【００４６】
拡散板１５ａ上に配される光学シート１５ｂは、拡散板１５ａ側から順に、拡散シート、レンズシート、反射型偏光板が積層されたものであり、冷陰極管１７から出射され、拡散板１５ａを通過した光を面状の光とする機能を有する。当該光学シート１５ｂの上面側には液晶パネル１１が設置され、当該光学シート１５ｂは拡散板１５ａと液晶パネル１１とにより挟持されている。【００４７】
ここで、ランプクリップ１８について詳細に説明する。ランプクリップ１８は、合成樹脂製（例えばポリカーボネート製）で、表面が光の反射性に優れた白色とされており、図５〜図８に示すように、シャーシ１４及び反射シート２３の底板に沿った略板状をなし平面視略矩形の本体部２７（取付板、ベース部）を備える。ランプクリップ１８は、シャーシ１４に対して、本体部２７の長さ方向がシャーシ１４の短辺方向（Ｙ軸方向）とほぼ平行な姿勢、すなわち冷陰極管１７の軸方向（長さ方向、Ｘ軸方向）と直交する方向とほぼ平行な姿勢（向き）で取り付けられる。なお、以下では、長辺方向及び短辺方向の記載については、特に断りがない限り、シャーシ１４及び反射シート２３の底板を基準とする。また、以下では、Ｚ軸方向について図３及び図４に示す上側を表側とし、逆の下側を裏側として説明する。【００４８】
本体部２７における表側の面（拡散板１５ａ及び冷陰極管１７との対向面、シャーシ１４側とは反対側の面）には、冷陰極管１７を所定高さ位置に支持するためのランプ把持部２８と、拡散板１５ａを冷陰極管１７よりも高い位置に支持するための支持ピン２９とがそれぞれ設けられている。ランプ把持部２８は、本体部２７の長さ方向について離間した位置に複数（本実施形態では４つ）並んで設置されており、それぞれが異なる冷陰極管１７を把持する。各ランプ把持部２８間のピッチは、ほぼ同一とされ、シャーシ１４内に並ぶ各冷陰極管１７間のピッチと一致している。支持ピン２９は、本体部２７における中心ＣＣから偏った（ずれた）位置、つまり偏心した位置に配置されている（図５及び図６）。言い換えると、支持ピン２９は、本体部２７の中心ＣＣから外れた位置、さらに言い換えると本体部２７の中心ＣＣを避けた位置に配されている。また別言すると、支持ピン２９は、本体部２７の中心ＣＣに対して所定の距離（間隔）を空けた位置、さらに別言すると本体部２７の中心ＣＣと外周端部との間の位置に配されている。詳しくは、支持ピン２９は、本体部２７の中心ＣＣ（長さ方向の中央位置）を通ってＺ軸方向及びＸ軸方向、つまり本体部２７の長さ方向と直交する方向に沿った面ＣＳから長さ方向について偏った（ずれた）位置、つまり偏心した位置に設置されている。さらに具体的には支持ピン２９は、本体部２７における最も端寄りのランプ把持部２８と、そのランプ把持部２８と隣り合うランプ把持部２８とのほぼ中間位置に配置されている。一方、本体部２７における裏側の面（シャーシ１４及び反射シート２３との対向面、拡散板１５ａ及び冷陰極管１７側とは反対側の面）には、ランプクリップ１８をシャーシ１４に対して取付状態に保持するための取付部３０，３１が設けられている。取付部３０，３１は、本体部２７における長さ方向に離間した位置に複数（本実施形態では２つ）設置されている。【００４９】
このランプクリップ１８は、図９に示すように、シャーシ１４及び反射シート２３の底板の内面において複数分散した位置に設置されており、その配置について以下に詳しく説明する。各ランプクリップ１８は、シャーシ１４及び反射シート２３における長辺方向（Ｘ軸方向）について互いに離間した複数の位置に並んで設置されており、これにより、冷陰極管１７を軸方向に離間した複数の位置で把持できるようになっている。さらには、各ランプクリップ１８は、シャーシ１４及び反射シート２３の底板において短辺方向（Ｙ軸方向）の両端側よりも中央側（基準線Ｌ１側）の方が設置数が多くなっている。具体的には、シャーシ１４及び反射シート２３における短辺方向の中央側、より詳細には同中央位置を通って長辺方向（Ｘ軸方向、冷陰極管１７の長さ方向、本体部２７の長さ方向と直交する方向、拡散板１５ａの面方向）に沿って横切る仮想的な基準線Ｌ１を挟んだ位置には、３つずつのランプクリップ１８が長辺方向に離間して設置されるのに対し、それら６つのランプクリップ１８から短辺方向の両端寄りには、２つずつのランプクリップ１８が長辺方向に離間して設置されている。これにより、シャーシ１４及び反射シート２３における短辺方向の中央側（基準線Ｌ１側）の方が両端側よりも、ランプ把持部２８の数、つまり冷陰極管１７に対する支持箇所が多くなるとともに、支持ピン２９の数、つまり拡散板１５ａに対する支持箇所が多くなっている。【００５０】
なお、長辺方向に２つずつ並んだ各ランプクリップ１８（短辺方向の中央側に対して両端側に配される各ランプクリップ１８）は、短辺方向について隣り合うランプクリップ１８に対して長辺方向にずれた位置に配されている。従って、仮に各ランプクリップ１８が短辺方向に沿って一列に並ぶものと比べると、反射シート２３の底板の面内で各ランプクリップ１８が分散配置されるので、人間の目の特性から、ランプクリップ１８の影が視認されずらい。つまり、ランプクリップ１８が同じ個数であったとしても、線状や集まって配置されると、人間の目の特性から視認されやすいが、本実施形態のようにランプクリップ１８を分散して配することで、反射シート２３とランプクリップ１８とで光の反射率が異なる場合でもバックライト装置１２に輝度ムラが生じ難くなっている。【００５１】
そして、シャーシ１４及び反射シート２３の底板に対する各ランプクリップ１８の取付向き（取付姿勢、取付状態）は、各支持ピン２９が上記した基準線Ｌ１側を向く（基準線Ｌ１側に寄る、或いは基準線Ｌ１に近い）ように、つまり基準線Ｌ１側に偏心するように設定されている。詳しくは、各ランプクリップ１８は、本体部２７の長さ方向をシャーシ１４及び反射シート２３の短辺方向（Ｙ軸方向、冷陰極管１７の長さ方向及び基準線Ｌ１と直交する方向）と一致させた向きで取り付けられるのであるが、各ランプクリップ１８には支持ピン２９が本体部２７において長さ方向について偏心した位置に配されているため、シャーシ１４に対する取付向きに方向性が生じている。このため、各ランプクリップ１８の取付向きとして、支持ピン２９が図９に示す下側を向く第１の取付向き（第１の取付姿勢、第１の取付状態）と、支持ピン２９が同図上側を向き、上記第１の取付向きとは逆向きとなる第２の取付向き（第２の取付姿勢、第２の取付状態）との２種類が設定されている。そして、シャーシ１４及び反射シート２３の底板のうち、基準線Ｌ１よりも図９に示す上側の第１領域Ａ１に取り付けられるランプクリップ１８は、第１の取付向きとされるのに対し、同図下側の第２領域Ａ２に取り付けられるランプクリップ１８は、第２の取付向きとされている。つまり、各ランプクリップ１８は、基準線Ｌ１を挟んで（境として）第１の取付向きとされた第１のランプクリップ群１８Ａと、第２の取付向きとされた第２のランプクリップ群１８Ｂとに分けられ、各本体部２７において偏心配置された各支持ピン２９が全て基準線Ｌ１寄りに配置される。この状態では、基準線Ｌ１から各ランプクリップ１８の本体部２７における中心ＣＣまでの距離よりも、基準線Ｌ１から各ランプクリップ１８の支持ピン２９までの距離の方がそれぞれ小さくなっている。これにより、拡散板１５ａに対する各支持ピン２９の支持位置は、拡散板１５ａの短辺方向の中央側寄りになり、言い換えると支持ピン２９の分布密度が拡散板１５ａの短辺方向の中央側ほど高くなる。ここで、仮に拡散板１５ａに熱膨張または熱収縮が生じたとき、構造上画面中央側ほど冷陰極管１７側に撓んだり反り易くなる傾向にあるが、その画面中央側に支持ピン２９を多く分布させているので、撓みや反りを良好に規制することができる。ところで、冷陰極管１７を支持するためには、ランプクリップ１８の最適な（より少ない）数・配置がある。その最適な所定の配置をした場合に、支持ピン２９を偏心配置したランプクリップ１８を、支持ピン２９が基準線Ｌ１に寄る配置にすることで、拡散板１５ａの撓みや反りを良好に規制できる効果が得られる。【００５２】
なお、シャーシ１４及び反射シート２３の底板の内面には、図１０に示すように、各ランプクリップ１８の各取付予定位置に取付部３０，３１を挿入させるための取付孔３２，３３及び挿通孔３４，３５がそれぞれ厚み方向に貫通して形成されている。取付部３０，３１、取付孔３２，３３及び挿通孔３４，３５に関しては後に詳しく説明する。【００５３】
続いて、ランプクリップ１８における各部位の詳細な構造について説明する。まず、本体部２７は、図５〜図８に示すように、シャーシ１４の短辺方向（Ｙ軸方向）に沿って細長い略矩形状とされ、その長さ方向両端部に対して中間部分が僅かに幅狭に形成されている。従って、本体部２７の表面積は、仮に本体部２７を全長にわたって幅広部分２７ａに合わせて一定幅とした場合と比べると、小さくなっており、反射シート２３の全体の表面積に占める全ランプクリップ１８の表面積の割合が小さくなる。これにより、反射シート２３とランプクリップ１８とで光の反射率が異なっていた場合でもバックライト装置１２に輝度ムラが生じ難くなっている。本体部２７のうち両端の幅広部分２７ａ（幅広な第１部位）には、両端の一対のランプ把持部２８と両取付部３０，３１とが設置されているのに対し、中間の幅狭部分２７ｂ（幅狭な第２部位）には、中央寄りの一対のランプ把持部２８と支持ピン２９とが設置されている。本体部２７における両幅広部分２７ａは、幅狭部分２７ｂと比べると高剛性部位であり、そこに両取付部３０，３１が設けられているから、ランプクリップ１８の取り付け時に両取付部３０，３１がシャーシ１４の取付孔３２，３３の周面に干渉したときでも、取付部３０，３１や本体部２７に破損などが生じることが防がれるようになっている。【００５４】
続いて、本体部２７を板厚方向に沿って切断した断面形状について説明する。本体部２７は、図１３に示すように、シャーシ１４及び反射シート２３の底板に対する取付面（対向面）を有する台座部３６と、台座部３６から表側（冷陰極管１７及び拡散板１５ａ側）へ突出し且つその表面に傾斜面３８を有する突出部３７とから構成されている。【００５５】
台座部３６は、厚さ寸法（高さ寸法、Ｚ軸方向についての寸法）及び幅寸法（Ｘ軸方向についての寸法）がそれぞれほぼ一定で、断面形状が横長な略四角形状（ブロック状）をなしている。一方、突出部３７は、突出基端側の幅寸法が台座部３６とほぼ同じとされるものの、突出先端側に行くに連れて次第に幅寸法（本体部２７における短辺側（Ｘ軸方向）の寸法）が減少する先細り状（先窄み状）に形成されている。言い換えると、突出部３７は、厚さ寸法が幅方向（Ｘ軸方向）の中央位置（頂点Ｐ１）において最も大きく、そこから幅方向の両端位置（両裾側）に行くに連れて次第に厚さ寸法が減少する山形に形成されている。さらに別言すると、突出部３７は、冷陰極管１７の中心軸線ＡＸから遠ざかる方向に裾広がりとなる山形形状となっている。従って、突出部３７における長さ方向に沿った幅方向の両端部（長辺側の外周縁部）は、中央部側と比べて全域にわたって薄肉となっており、台座部３６との間で段差が殆ど生ずることがなくなっている。【００５６】
そして、突出部３７の表面には、幅方向について中央位置から両端位置にかけて下り勾配の傾斜面３８が一対形成されている。この傾斜面３８は、突出部３７における幅方向について中央位置から両端位置にかけて反射シート２３との間の距離が次第に減少する、別言すると拡散板１５ａ（冷陰極管１７）との間の距離が次第に増加するような勾配となっている。具体的には、突出部３７は、断面形状が略二等辺三角形とされており、その表面には幅方向の中央の頂点Ｐ１を境にして一対の傾斜面３８が形成されている。つまり、突出部３７は、幅方向の中央位置を通るＺ軸方向に沿った対称軸を中心とした対称形状とされる。従って、両傾斜面３８は、傾斜角度が共に同一とされている。突出部３７の頂点Ｐ１にて繋がる両傾斜面３８同士がなす角度は、鈍角とされている。また、突出部３７の頂点Ｐ１における厚さ寸法Ｔ１は、台座部３６の厚さ寸法Ｔ２よりも大きく設定されている。なお、図１３及び図１４に示すように、本体部２７における長さ方向の両端の幅広部分２７ａと、その中間部である幅狭部分２７ｂとでは、突出部３７における傾斜面３８の傾斜角度が互いに異なっており、幅広部分２７ａにおける傾斜角度θ１の方が幅狭部分２７ｂにおける傾斜角度θ２よりも小さく（緩やかに）設定されている。なお、台座部３６の底面（本体部２７におけるシャーシ１４及び反射シート２３との対向面）についても、幅方向の中央位置を頂点とする、傾斜面３８よりも緩やかな傾斜角度の傾斜面２７ｃが一対、全長にわたって形成されている。【００５７】
上記したように本体部２７には、傾斜面３８を有する突出部３７が形成されているから、傾斜面３８によって冷陰極管１７から発せられた光を良好に拡散板１５ａ側へ反射させることができる。それとともに、突出部３７における長さ方向に沿った幅方向の両端部が中央部と比べて全域にわたって薄肉となっていて台座部３６との間で殆ど段差が生じていないから、突出部３７には影となり得る部分が殆ど存在しない。これにより、本体部２７の表面における光の反射効率を極力均一化することができ、もって本体部２７において暗部（影部、陰影部）が生じるのが極力防がれるようになっている。なお、突出部３７の裏側には、台座部３６が設けられているものの、その厚さ寸法Ｔ２は突出部３７の最大厚さ寸法Ｔ１（頂点Ｐ１での厚さ寸法Ｔ１）よりも小さく設定されているので、突出部３７の両傾斜面３８によって光の反射効率の均一化が図られていることも相まって、台座部３６における幅方向の両側面が暗部として視認され難くなっている。なお、突出部３７の表面に湾曲しない形態の傾斜面３８を形成しているので、ランプクリップ１８を樹脂成形により製造する際、突出部３７の寸法精度が出しやすくなる効果も得られる。【００５８】
ところで、突出部３７は、幅方向の中央側部分においてはある程度の厚さを持っているものの、幅方向の両端部においては極めて薄肉となるため、その薄肉部分を光が透過してしまう事態が懸念される。しかし、この突出部３７の裏側には、台座部３６が配されており、その厚さ寸法が光を遮るのに十分な大きさとされているから、本体部２７の幅方向の両端部を光が透過する事態が回避されている。これにより、本体部２７における幅方向の両端部の裏側に、反射シート２３が介在することなくシャーシ１４が配されていても、そのシャーシ１４（及び取付孔３２，３３）が表側から暗部として視認されるのが防止される。また、突出部３７の幅方向の両端部が薄肉とされると、本体部２７の強度が不足する事態が懸念されるものの、突出部３７の裏側に台座部３６を設置することで、本体部２７の強度及び剛性を十分に確保することができる。【００５９】
次に、拡散板１５ａに対する支持構造を構成する支持ピン２９について詳細に説明する。支持ピン２９は、図１２に示すように、拡散板１５ａのうちホルダ２０などによって支持された外周縁部よりも画面中央側部分を裏側から支持することで、拡散板１５ａが冷陰極管１７側へ撓んだり反ったりするのを規制することができる。支持ピン２９は、図６に示すように、水平方向に沿って切断した断面形状が円形とされ、図５及び図８に示すように、根元側から先端側に行くに連れて次第に径寸法が小さくなる、先細り状に形成されている。つまり、支持ピン２９は、略円錐状に形成されている。支持ピン２９のうち拡散板１５ａに当接し得る先端部には、Ｒ面が形成され、丸められている。支持ピン２９における根元部分の外周面には、本体部２７側に行くに連れて広がるような曲面が形成され、本体部２７における傾斜面３８に対して段差を生ずることなくなだらかに繋げられている。支持ピン２９における根元部分の径寸法は、次述するランプ把持部２８のアーム部３９の幅寸法（Ｘ軸方向の寸法）よりも大きくなっているものの、先端部の径寸法はランプ把持部２８のアーム部３９の幅寸法よりも小さくなっている。本体部２７からの支持ピン２９の突出高さは、ランプ把持部２８よりも高く設定されている。この支持ピン２９は、既述した通り本体部２７において長さ方向について中央位置から偏心した位置に配されているが、幅方向については中央位置に配されている。【００６０】
ところで、支持ピン２９は、ランプクリップ１８において最も高い位置に突出する部位となっている。従って、ランプクリップ１８をシャーシ１４に対して着脱する作業を行う際には、作業者は支持ピン２９を掴んで作業を行うことが可能となっており、支持ピン２９は着脱時の操作部としても機能し得る。【００６１】
続いて、冷陰極管１７に対する支持構造を構成するランプ把持部２８について詳細に説明する。ランプ把持部２８は、図１２に示すように、冷陰極管１７のうち電極が設置された両端部間の中間部分、つまり発光部分を、反射シート２３から僅かに浮いた高さ位置に裏側から支持することができる。ランプ把持部２８は、全体として表側へ開口した有端環状をなし、互いに対向する一対のアーム部３９を備える。両アーム部３９の先端部間には、Ｚ軸方向（シャーシ１４及び反射シート２３の底板の厚さ方向）に沿って着脱される冷陰極管１７の通過を許容する開口部４０が確保されている。両アーム部３９は、本体部２７における表側の面において長さ方向（Ｙ軸方向）について離間した位置からそれぞれ立ち上がる片持ち状をなしており、略円弧状に湾曲した形状となっている。この両アーム部３９における曲率は、取り付けられる冷陰極管１７の外周面の曲率と概ね一致しており、取付状態において冷陰極管１７との間に生じる隙間が周方向についてほぼ一定幅となる。両アーム部３９は、ランプ把持部２８におけるＹ軸方向の中央位置を通る、Ｚ軸方向に沿った対称軸を中心とした対称形状となっている。両アーム部３９は、本体部２７からの立ち上がり基端部を支点として幅方向に沿って弾性変形可能とされる。また各アーム部３９は、図８に示すように、幅方向（Ｘ軸方向）の中心位置を通る、Ｚ軸方向に沿った対称軸を中心とした対称形状となっている。またアーム部３９は、その幅寸法が本体部２７の幅寸法よりも小さくなっている。またアーム部３９は、突出基端部においては徐々に幅広になりつつ本体部２７へとなだらかに繋げられ、段差が生じることが防がれている。【００６２】
両アーム部３９の先端部の内面（冷陰極管１７との対向周面）には、図１２に示すように、冷陰極管１７を保持するための保持突起４１がそれぞれ設けられており、それら両保持突起４１間に上記した開口部４０が確保されている。この開口部４０における間口は、冷陰極管１７の外径寸法よりも少し狭くなる設定とされる。従って、開口部４０を通して冷陰極管１７を着脱する際には、両アーム部３９は冷陰極管１７によって押されることで弾性的に拡開変形されるようになっている。保持突起４１は、アーム部３９の先端部の内面から内向きに（冷陰極管１７における中心軸線ＡＸ側に向かって）張り出す形態とされるとともに、取付状態における冷陰極管１７の中心Ｃよりも表側（光出射側）、つまり冷陰極管１７に対してその抜け方向側に位置している。取付状態では、冷陰極管１７は、ランプ把持部２８における底面のうち冷陰極管１７の中心Ｃの直下に位置する中央の第１支持点Ｓ１と、両保持突起４１の内端の第２支持点Ｓ２及び第３支持点Ｓ３とによって三点支持されるようになっており、各支持点Ｓ１〜Ｓ３間においては冷陰極管１７の外周面とランプ把持部２８の内周面との間に周方向に延びる僅かな隙間（クリアランス）が空けられるようになっている。このとき、冷陰極管１７に対する各支持点Ｓ１〜Ｓ３同士を結ぶと、二等辺三角形が描画されることになる。また第１支持点Ｓ１と冷陰極管１７の中心Ｃとを結んだ線と、第２支持点Ｓ２と同中心Ｃとを結んだ線と、第３支持点Ｓ３と同中心Ｃとを結んだ線（図示せず）とがなす角度は、それぞれ鈍角となっている。【００６３】
両アーム部３９の先端部における外面には、冷陰極管１７の取り付け動作をガイドするためのガイド部４２（図１５）がそれぞれ設けられている。両ガイド部４２は、アーム部３９から斜め外向きに立ち上がった先細り状に形成されている。両ガイド部４２は、突出基端から突出先端にかけて互いに離間するような勾配を有しており、冷陰極管１７と対向する内面も同様の勾配の傾斜面となっている。従って、両ガイド部４２における対向面である内面間の間隔は、同図下側、つまり冷陰極管１７の取付方向側に行くに連れて次第に狭く、逆に冷陰極管１７の取り外し方向側に行くに連れて次第に広くなっている。これにより、両ガイド部４２の内面によって冷陰極管１７の取り付け動作を円滑に案内することができるようになっている。また、ガイド部４２の内面は、そのまま保持突起４１の内面へとなだらかに繋げられている。【００６４】
ここで、ランプ把持部２８における両アーム部３９間に挟まれた底面（第１支持点Ｓ１を含む）は、図５及び図１２に示すように、本体部２７における傾斜面３８の頂点Ｐ１（突出部３７の突出先端）よりも低くなる設定とされる。言い換えると、本体部２７の表側の面には所定幅の凹部が形成され、その凹部を挟んだ位置から一対のアーム部３９を立ち上げることでランプ把持部２８が形成されていることになる。この凹部は、本体部２７における幅方向（Ｘ軸方向）の全範囲にわたって形成され、その深さ寸法は突出部３７の最大厚さ寸法よりも少し小さく設定されている。従って、本体部２７は、台座部３６が全長にわたって一定の厚さ寸法とされるのに対し、突出部３７が長さ方向について各ランプ把持部２８に対応した箇所が部分的に薄肉に形成されていることになる。そして、ランプ把持部２８の底面を有する底部４３は、台座部３６と、突出部３７における薄肉部分とから構成されていると言える（図１５）。本体部２７の一部でもある底部４３は、ランプ把持部２８を構成するアーム部３９よりも幅広に形成されている。ここで、冷陰極管１７は、その底面が本体部２７の頂点Ｐ１よりも低い位置、つまり反射シート２３に近い位置（拡散板１５ａからは遠い位置）になるよう支持されることになり、バックライト装置１２全体の薄型化に好適となっている。なお、冷陰極管１７の中心Ｃは、本体部２７の頂点Ｐ１，Ｐ２よりも高い位置（表側の位置）とされる。なお、ここでいうランプ把持部２７の底面とは、ランプ把持部２７における冷陰極管１７との対向周面のうち、Ｚ軸方向を鉛直方向としたときに最も同方向下側に位置する部分であり、ランプ把持部２７における冷陰極管１７との対向周面のうち最もシャーシ１４に近い部分でもある。さらに別言すると、ランプ把持部２７の底面とは、冷陰極管１７との対向周面のうち、ランプ把持部２７における付け根側部分である。【００６５】
ランプ把持部２８の底面は、本体部２７の長さ方向（Ｙ軸方向）については、一定の高さを保っていてほぼ真っ直ぐな形状とされるものの、図１５に示すように、本体部２７の幅方向（Ｘ軸方向、冷陰極管１７の長さ方向（中心軸線ＡＸ方向））については、冷陰極管１７の中心軸線ＡＸから遠ざかる方向に裾広がりとなる山形形状となっている。つまり、冷陰極管１７の表面とランプ把持部２８の内周面との間には、冷陰極管１７の長さ方向に対して異なる幅をなす空隙Ｇ（ギャップ）が形成されていることになる。詳しくは、ランプ把持部２８の底部４３は、厚さ寸法が本体部２７における幅方向の中央位置にて最も大きく、そこから両端位置に行くに連れて次第に小さくなる、山形に形成されている。そして、このランプ把持部２８の底面は、本体部２７の幅方向について中央側から両端部側にかけて下り勾配となる一対の傾斜面４４（逃がし面）により構成されている。この傾斜面４４は、本体部２７における幅方向について中央位置から両端位置にかけて反射シート２３との間の距離が次第に減少する、別言すると冷陰極管１７（拡散板１５ａ）との間の距離（間隔、隙間、空隙Ｇ）が次第に増加するような勾配の面となっている。言い換えると、冷陰極管１７の表面とランプ把持部２８の傾斜面４４との間に存在する空隙Ｇは、ランプ把持部２８の中央から冷陰極管１７の長さ方向に沿って両端側へ行くに連れて次第に広がるような形状となっており、両端位置にて最大の開口間口となっている。具体的には、ランプ把持部２８の底部４３における突出部３７は、断面形状が略二等辺三角形とされており、その表面である底面には幅方向の中央の頂点Ｐ２（第１支持点Ｓ１を含む）を境にして一対の傾斜面４４が形成されている。つまり、ランプ把持部２８の底部４３は、幅方向の中央位置を通るＺ軸方向に沿った対称軸を中心とした対称形状とされる。従って、両傾斜面４４は、傾斜角度θ３が共に同一とされている。ランプ把持部２８の底部４３の頂点Ｐ２にて繋がる両傾斜面４４同士がなす角度は、鈍角とされている。このランプ把持部２８の底部４３における頂点Ｐ２は、既述した通り本体部２７の突出部３７における頂点Ｐ１よりも低くなっている。従って、ランプ把持部２８の底部４３に形成された傾斜面４４の傾斜角度θ３は、ランプ把持部２８外における本体部２７の突出部３７に形成された傾斜面３８の傾斜角度θ１，θ２（図１３及び図１４を参照）よりも小さくなっている。【００６６】
このランプ把持部２８の底部４３に形成された傾斜面４４は、図１７に示すように、アーム部３９の内周面にも連続的に拡張して形成されて、ここが拡張傾斜面４５とされている。さらに、この拡張傾斜面４５は、図１６に示すように、保持突起４１の内周面からガイド部４２の内周面及び外周面にまで拡張され、さらにはアーム部３９の外周面にまで拡張して形成されている。これにより、拡張傾斜面４５は、アーム部３９、保持突起４１、及びガイド部４２における内周面及び外周面の全域に形成されている。従って、アーム部３９、保持突起４１、及びガイド部４２は、その厚さ寸法が幅方向（Ｘ軸方向）の中央位置から両端位置に行くに従って次第に薄くなる形態とされている。【００６７】
冷陰極管１７を取り付けた状態では、図１５〜図１７に示すように、冷陰極管１７の外周面とランプ把持部２８の底面を含む内周面（冷陰極管１７との対向周面）との間の距離（間隔、隙間）は、ランプ把持部２８におけるＸ軸方向の中央位置から両端位置（冷陰極管１７の軸方向の外側）に行くに連れて次第に大きくなる。従って、冷陰極管１７を点灯させたとき、冷陰極管１７から発せられた光は、ランプ把持部２８との間に確保された隙間（クリアランス）を通って傾斜面４４及び拡張傾斜面４５にあたってから反射されて拡散板１５ａへと向かうことになる。仮に、ランプ把持部２８の内周面を真っ直ぐな形態とした場合には、冷陰極管１７から発せられた光がランプ把持部２８の内周面にあたって反射されると、そのまま冷陰極管１７へと戻されてしまう可能性が高いのと比べると、拡散板１５ａに向かう光量を多くすることができ、冷陰極管１７からの光の取り出し効率を向上させることができる。また、ランプ把持部２８の外周面にまで拡張傾斜面４５が形成されているので、ランプ把持部２８に対して外側からあたる光を良好に拡散板１５ａに向けて反射させることができる。これにより、ランプ把持部２８における光の反射効率の均一化を図ることができる。また、ランプ把持部２８の内外両周面に傾斜面４４及び拡張傾斜面４５を形成することで、ランプクリップ１８を樹脂成形する際の型開きにおいて有利となる。【００６８】
次に、ランプクリップ１８のシャーシ１４に対する保持構造を構成する取付部３０，３１についてシャーシ１４及び反射シート２３の取付孔３２，３３及び挿通孔３４，３５と共に詳細に説明する。まず、保持構造について簡単に説明すると、取付部３０，３１は、図５に示すように、本体部２７の裏面（板面）に沿ったフック状をなしており、その取付部３０，３１をシャーシ１４及び反射シート２３の取付孔３２，３３及び挿通孔３４，３５に挿入してシャーシ１４の裏側に突出させ（図２０参照）、その状態でランプクリップ１８を本体部２７の長さ方向（Ｙ軸方向、反射シート２３及びシャーシ１４の底板の板面方向）に沿ってスライドさせることで、図１２に示すように、取付部３０，３１と本体部２７との間でシャーシ１４及び反射シート２３を挟持できるようになっている。【００６９】
既述した通り、ランプクリップ１８には、一対の取付部３０，３１が本体部２７の長さ方向について互いに離間した位置に設けられており、これらはそれぞれ第１取付部３０及び第２取付部３１とされる。第１取付部３０は、本体部２７のうち長さ方向について支持ピン２９側とは反対側の端部付近に設置されているのに対し、第２取付部３１は、本体部２７のうち長さ方向について支持ピン２９側の端部付近に設置されている。なお、これら第１取付部３０及び第２取付部３１には、それぞれ幅方向の中央位置を頂点とする緩やかな傾斜面３０ａ，３１ａが一対ずつ、全周・全域にわたって形成されている。これら傾斜面３０ａ，３１ａの傾斜角度は、既述した本体部２７の底面における傾斜面２７ｃとほぼ同じとされる。【００７０】
詳しくは、第１取付部３０は、本体部２７の裏側の面から裏側（Ｚ軸方向に沿ってシャーシ１４側）へ突出する基部４６と、基部４６の先端からほぼ直角に屈曲されて本体部２７の長さ方向（Ｙ軸方向）に沿って突出（延出）する片部４７とを備え、正面から見て略Ｌ字型をなしている。基部４６は、本体部２７のうち長さ方向について支持ピン２９側とは反対側の端部に設置されたランプ把持部２８の裏側に位置しており、より詳しくはそのランプ把持部２８を構成する端側のアーム部３９の基端位置とほぼ同じ位置に配されている。基部４６は、本体部２７のうち幅広部分２７ａに連結されているので、本体部２７に第１取付部３０を介して力が作用した場合でも、本体部２７に変形や破損が生じ難くなっている。また、基部４６は、本体部２７における幅方向のほぼ中央位置に設置されている。【００７１】
片部４７は、基部４６から支持ピン２９側とは反対側へ延びる片持ち状をなすとともにその先端部が本体部２７の支持ピン２９とは反対側の端部（スライド方向の前端部）よりもさらに側方へ突出する長さを有している。言い換えると、片部４７の先端部（次述するガイド部４８を含む）は、平面に見て本体部２７の外周端よりも外側へはみ出している。この片部４７は、裏側から見て矩形状をなしており、Ｘ軸方向に沿った寸法（幅寸法）がＹ軸方向（スライド方向）に沿った寸法（長さ寸法）よりも小さく設定されている。片部４７は、基部４６との連結部分が本体部２７とほぼ平行に延びるのに対して、突出先端部が鈍角をなすよう屈曲されており、この屈曲した突出先端部がシャーシ１４への取り付け動作をガイド可能なガイド部４８となっている。ガイド部４８は、先端側に行くに連れて本体部２７との間の距離が次第に増加するような勾配で傾斜しており、言い換えると先端側に行くに連れて本体部２７から離れていくような形状とされており、且つ厚さ寸法が全長にわたってほぼ一定とされることで、その表裏両面がガイド面４８ａとなっている。また、ガイド部４８の根元位置は、本体部２７における長さ方向の端面よりも外側に位置している。また、基部４６及び片部４７の幅寸法は、ほぼ同一とされ、その大きさは本体部２７の幅寸法より小さく設定されている。【００７２】
シャーシ１４及び反射シート２３には、図１１に示すように、上記した構成の第１取付部３０を挿入可能な第１取付孔３２及び第１挿通孔３４がそれぞれ厚さ方向に貫通して形成されている。シャーシ１４に形成された第１取付孔３２は、平面視矩形状をなしており、その幅寸法及び長さ寸法（Ｚ軸方向（第１取付孔３２に対する第１取付部３０の挿入方向）と直交する方向についての大きさ）が第１取付部３０とほぼ同じか大きく設定されている。一方、反射シート２３に形成された第１挿通孔３４は、第１取付孔３２と同様に平面視矩形状をなしており、その幅寸法及び長さ寸法が第１取付孔３２よりもさらに大きくなる設定とされる。第１取付孔３２と第１挿通孔３４との大きさの差は、反射シート２３をシャーシ１４に組み付ける際に両者間に生じ得る位置ずれ量の想定最大値と同じかそれよりも大きく設定されている。これにより、第１挿通孔３４の内側に第１取付孔３２が確実に配され、反射シート２３によって第１取付孔３２が覆われる事態が回避されるようになっている。逆に言うと、シャーシ１４における第１取付孔３２の周縁部は、反射シート２３によって覆われることがなく、本体部２７の裏面に対して反射シート２３を介することなく直接向き合う位置関係となる。【００７３】
そして、図２０に示すように、第１取付部３０を第１挿通孔３４及び第１取付孔３２に挿入し、シャーシ１４の裏側に突出させた状態で本体部２７を片部４７の突出方向（Ｙ軸方向に沿って図２０の右方）に向けてスライドさせると、図１２に示すように、片部４７が第１取付孔３２の周縁部のうちスライド方向（取付方向）の前部の裏側に配される。これにより、本体部２７の長さ方向の端部と第１取付部３０の片部４７との間で反射シート２３及びシャーシ１４が挟持されることになる。反射シート２３及びシャーシ１４のうち本体部２７と第１取付部３０との間に挟持される被挟持部分は、第１取付孔３２及び第１挿通孔３４の周縁部であって次述する係止孔５２側とは反対側部分となっている。なお、第１挿通孔３４の幅寸法は、本体部２７の幅寸法よりも小さくなる設定とされているのに加え、本体部２７のうちスライド方向の後端位置である支持ピン２９側の側端面から基部４６までの距離が取り付け時のスライド量よりも大きくなっているから、取付状態では、第１取付孔３２及び第１挿通孔３４が本体部２７によって覆われ（閉塞され）、両孔３２，３４が本体部２７の外部に露出することが防がれている。【００７４】
ところで、第１取付部３０は、本体部２７の端部から側方へ突出する形態とされているので、ランプクリップ１８をシャーシ１４に取り付ける際には、第１取付部３０における突出先端部を第１取付孔３２に対して先行して挿入しつつ作業を行うことができる。この取り付け作業を行う際には、図１９に示すように、本体部２７における第１取付部３０が設けられた側の端部を下げた傾斜姿勢とするが、このとき作業者が掴む支持ピン２９は、本体部２７のうち先行挿入される第１取付部３０とは反対側の端部寄りに偏心して設置されているので、本体部２７を傾けつつシャーシ１４に取り付ける作業性が一層向上する。【００７５】
第２取付部３１は、図５に示すように、第１取付部３０と同様に、正面から見て略Ｌ字型をなしており、本体部２７の裏側の面から裏側（Ｚ軸方向に沿ってシャーシ１４側）へ突出する基部４９と、基部４９の先端からほぼ直角に屈曲されて本体部２７の長さ方向に沿って突出（延出）する片部５０とを備える。基部４９は、本体部２７のうち長さ方向について支持ピン２９側の端部に配置されたランプ把持部２８と支持ピン２９とのほぼ中間位置に配置されている。つまり、第２取付部３１は、本体部２７の長さ方向について第１取付部３０に対して支持ピン２９を挟んだ反対側に配されていることになる。この基部４９は、第１取付部３０の基部４６と同様に本体部２７における幅広部分２７ａに連結されている。また、基部４９の突出寸法は、第１取付部３０の基部４６とほぼ同一とされる。また、基部４９は、本体部２７における幅方向についてほぼ中央位置、つまり第１取付部３０の基部４６と同じ位置に設置されている。【００７６】
片部５０は、基部４９から支持ピン２９側へ延びる片持ち状をなすとともに、その先端部が支持ピン２９のほぼ真裏に配されるような長さ寸法を有している。片部５０は、全長にわたって本体部２７とほぼ平行に形成されており、その突出先端部における本体部２７との対向面に係止突起５１が設けられている。係止突起５１は、本体部２７側に接近するよう片部５０から突出しており、その本体部２７との対向面にはテーパ面５１ａが形成されている。テーパ面５１ａは、片部５０の先端にまで連続して形成され、これにより片部５０が先細り状に形成されている。係止突起５１における基部４９との対向面は、基部４９の外面とほぼ平行で直立していて、シャーシ１４に対するランプクリップ１８のスライド方向（Ｙ軸方向）と直交する方向（Ｚ軸方向）に沿ってほぼ真っ直ぐな面となっており、ここがシャーシ１４に対する係止面５１ｂとなっている。この片部５０は、裏側から見て矩形状をなしており、Ｘ軸方向に沿った寸法（幅寸法）がＹ軸方向（スライド方向）に沿った寸法（長さ寸法）よりも小さく設定されている。また、この片部５０は、長さ寸法が第１取付部３０の片部４７や第１取付孔３２よりも大きくなっている。また、基部４９及び片部５０の幅寸法は、ほぼ同一とされ、その大きさは本体部２７の幅寸法より小さく設定されている。【００７７】
シャーシ１４及び反射シート２３には、図１１に示すように、上記した構成の第２取付部３１を挿入可能な第２取付孔３３及び第２挿通孔３５が厚さ方向に貫通してそれぞれ形成され、さらにシャーシ１４には、係止突起５１が係止可能な係止孔５２が厚さ方向に貫通して形成されている。シャーシ１４に形成された第２取付孔３３は、平面視矩形状をなしており、その幅寸法及び長さ寸法（Ｚ軸方向（第２取付孔３３に対する第２取付部３１の挿入方向）と直交する方向についての大きさ）が第２取付部３１とほぼ同じか少し大きく設定されている。また、この第２取付孔３３は、長さ寸法が第１取付孔３２や第１取付部３０よりも大きく設定されている。係止孔５２は、第１取付孔３２と第２取付孔３３との間の位置で且つ第２取付孔３３に対してその長さ方向に所定の間隔を空けて隣接する位置に形成されている。係止孔５２は、平面視矩形状をなしており、その幅寸法及び長さ寸法が第２取付部３１の係止突起５１とほぼ同じか少し大きく設定されている。一方、反射シート２３に形成された第２挿通孔３５は、平面視矩形状をなしており、その幅寸法及び長さ寸法が第２取付孔３３及び係止孔５２の同寸法を足した大きさよりもさらに大きくなる設定とされ、第２取付孔３３及び係止孔５２を一括して取り囲むことが可能とされる。第２取付孔３３及び係止孔５２と第２挿通孔３５との大きさの差は、反射シート２３をシャーシ１４に組み付ける際に両者間に生じ得る位置ずれ量の想定最大値と同じかそれよりも大きく設定されている。これにより、第２挿通孔３５の内側に第２取付孔３３及び係止孔５２が確実に配され、反射シート２３によって第２取付孔３３または係止孔５２が覆われる事態が回避されるようになっている。逆に言うと、シャーシ１４における第２取付孔３３及び係止孔５２の周縁部は、反射シート２３によって覆われることがなく、本体部２７の裏面に対して反射シート２３を介することなく直接向き合う位置関係となる。【００７８】
そして、図２０に示すように、第２取付部３１を第２挿通孔３５及び第２取付孔３３に挿入し、シャーシ１４の裏側に突出させた状態で本体部２７を片部５０の突出方向（Ｙ軸方向に沿って図２０の右方）に向けてスライドさせると、図１２に示すように、片部５０が第２取付孔３３の周縁部のうちスライド方向（取付方向）の前部の裏側に配されるとともに、その先端部の係止突起５１が係止孔５２内に進入してその孔縁に係止される。これにより、本体部２７における支持ピン２９との連結部分と第２取付部３１の片部５０との間でシャーシ１４が挟持されるとともに、係止突起５１の係止面５１ｂが係止孔５２の孔縁に係止することで、取付方向の後側（取り外し方向）への移動が規制される。シャーシ１４のうち本体部２７と第２取付部３１との間に挟持される被挟持部分は、第２取付孔３３と係止孔５２との間の部分となっている。なお、第２挿通孔３５の幅寸法は、本体部２７の幅寸法よりも小さくなる設定とされているのに加え、本体部２７のうちスライド方向の後端位置である支持ピン２９側の側端面から基部４９までの距離が取り付け時のスライド量よりも大きくなっているから、取付状態では、第２取付孔３３及び第２挿通孔３５が本体部２７によって覆われ（閉塞され）、両孔３３，３５が本体部２７の外部に露出することが防がれている。【００７９】
ところで、このランプクリップ１８は、既述した通り、偏心配置された支持ピン２９が基準線Ｌ１側を向くよう（基準線Ｌ１側に偏心するよう）、シャーシ１４への取付向きが規定された設計である。従って、このランプクリップ１８は、規定された取付向きとは逆向きで取り付けられるのを規制するための規制構造を有している。以下、その規制構造について詳細に説明する。【００８０】
第１取付部３０及び第２取付部３１は、図７に示すように、その幅寸法Ｗ１，Ｗ２（スライド方向と平行で且つスライド方向と直交する方向についての寸法）が互いに異なる設定とされており、それに対応して、図１１に示すように、シャーシ１４の第１取付孔３２及び第２取付孔３３の幅寸法Ｗ３，Ｗ４（スライド方向と平行で且つスライド方向と直交する方向についての寸法）についても互いに異なる設定とされている。具体的には、第１取付部３０の幅寸法Ｗ１は、第２取付部３１の幅寸法Ｗ２よりも大きくなっており、それに応じて第１取付孔３２の幅寸法Ｗ３は、第２取付孔３３の幅寸法Ｗ４よりも大きくなっている。そして、第１取付部３０の幅寸法Ｗ１は、第２取付孔３３の幅寸法Ｗ４よりも大きくなっているとともに、第１取付孔３２の幅寸法Ｗ３は、第２取付部３１の幅寸法WＷ２よりも大きくなっている。なお、反射シート２３の第１挿通孔３４及び第２挿通孔３５の幅寸法も、シャーシ１４の第１取付孔３２及び第２取付孔３３と同様の関係を有している。【００８１】
従って、ランプクリップ１８をシャーシ１４に取り付ける際に正規とは反対の取付向きだった場合には、各取付部３０，３１が本来対応すべき各取付孔３２，３３とは不整合となった状態で、第１取付部３０が第２取付孔３３に、第２取付部３１が第１取付孔３２にそれぞれ進入しようとする。しかし、第１取付部３０の幅寸法Ｗ１は、図２１に示すように、第２取付孔３３の幅寸法Ｗ４よりも大きいため、第１取付部３０の幅方向の端部が、第２取付孔３３の周縁部のうち幅方向の端部に干渉することで、本体部２７がシャーシ１４から浮き上がった状態で取り付け動作が規制される。これにより、誤った取付向きでのランプクリップ１８の取り付けを防止することができる。なお、第２取付孔３３の周縁部における幅方向の端部がランプクリップ１８の取り付けを規制する取付規制部として機能していると言える。【００８２】
本実施形態は以上のような構造であり、続いてその作用を説明する。液晶パネル１１及びバックライト装置１２をそれぞれ別途に製造し、それらをベゼル１３などを用いて互いに組み付けることで、図３及び図４に示す液晶表示装置１０が製造される。続いて、バックライト装置１２の組み付け作業、特にランプクリップ１８の取り付け作業について詳しく説明する。【００８３】
シャーシ１４の内側に反射シート２３を敷設すると、図１０に示すように、各挿通孔３４，３５内に対応する各取付孔３２，３３及び係止孔５２が臨むよう位置合わせされるので、続いて各ランプクリップ１８をシャーシ１４に取り付ける作業を行う。ここで、ランプクリップ１８のシャーシ１４に対する取付向きは、シャーシ１４のどの領域Ａ１，Ａ２に取り付けるかによって異なっている。詳しくはシャーシ１４のうち基準線Ｌ１を境とした第１領域Ａ１と第２領域Ａ２とでランプクリップ１８の取付向きは互いに逆向きに設定され、第１領域Ａ１には第１の取付向き（支持ピン２９が図９に示す下側に偏心する取付向き）となり、第２領域Ａ２には第１の取付向きとは逆の第２の取付向き（支持ピン２９が図９に示す上側に偏心する取付向き）となるよう規定されている。従って、ランプクリップ１８を取り付ける際には、シャーシ１４への取付位置に適合した取付向きとすることが必要となる。【００８４】
ランプクリップ１８の取付向きが正規だった場合について説明する。本体部２７において偏心配置された支持ピン２９を掴んだら、図１８に示す状態からランプクリップ１８をシャーシ１４側に接近するようＺ軸方向に移動させ、本体部２７を支持ピン２９側とは反対側の端部が下がるような姿勢としつつその端部から取付方向の前方へ突出する第１取付部３０を第１挿通孔３４及び第１取付孔３２に対して先行して挿入する。このとき、図１９に示すように、第１取付部３０の先端部に形成されたガイド部４８のガイド面４８ａが第１取付孔３２の孔縁部に摺接されることで、円滑な挿入が図られる。そして、本体部２７をシャーシ１４及び反射シート２３の底板と平行になる姿勢へと変位させつつ第２取付部３１を第２挿通孔３５及び第２取付孔３３内に挿入する。なお、第１取付部３０の片部４７がシャーシ１４の裏側に突出していれば、第２取付部３１が挿入される前の段階で、本体部２７を各片部４７，５０の延び方向に向けて多少スライドさせても構わない。【００８５】
図２０に示すように、第１取付部３０及び第２取付部３１の各片部４７，５０がシャーシ１４の裏側に突出した状態から、本体部２７を各片部４７，５０の延出方向（Ｙ軸方向に沿って図２０に示す右方）へ向けてスライドさせると、各片部４７，５０がシャーシ１４の裏面と対向し、各取付孔３２，３３の孔縁部における取付方向の前部に当接または近接する。この過程では、第２取付部３１の係止突起５１がシャーシ１４の裏面に乗り上げることで、片部５０が一旦弾性変形する。そして、ランプクリップ１８が所定距離スライドしたところで、図１２に示すように、係止突起５１が係止孔５２内に進入しつつ片部５０が弾性復帰し、係止突起５１の係止面５１ｂが係止孔５２の内周面に係止される。これにより、ランプクリップ１８が取付方向と逆方向（取り外し方向、図１２に示す左方）に不用意に移動する事態が防がれるようになっている。このとき、片部５０が復元しつつシャーシ１４の裏面に当たることで音が生じるので、作業者は強い節度感（クリック感）を得ることができ、ランプクリップ１８を正規の取付位置（抜け止め位置）まで確実にスライドさせることができる。【００８６】
この状態では、各取付部３０，３１の片部４７，５０と本体部２７との間で反射シート２３及びシャーシ１４が挟持され、もってランプクリップ１８がシャーシ１４に対して取付状態に保持される。この状態において、振動などが加わってランプクリップ１８をＺ軸方向に沿って表側へ変位させるような力が作用した場合でも、各取付部３０，３１の片部４７，５０がシャーシ１４の裏面に係合することで、同方向へのランプクリップ１８の変位が規制される。また、一対の取付部３０，３１が各取付孔３２，３３に挿入されていることにより、ランプクリップ１８の回り止めが図られる。【００８７】
一方、ランプクリップ１８の取付向きが正規とは逆向き（正規とは異なる取付状態）だった場合について説明する。取付向きを誤った状態でランプクリップ１８を取り付けようとしても、互いに幅寸法Ｗ１，Ｗ２が異なる各取付部３０，３１が本来対応すべき各取付孔３２，３３とは不整合となっている。従って、図２１に示すように、比較的（相対的に）大きな幅寸法Ｗ１の第１取付部３０（相対的に大きい方の第１取付部３０）の幅方向の端部が、比較的（相対的に）小さな幅寸法Ｗ４の第２取付孔３３（相対的に小さい方の第２取付孔３３）の周縁部のうち幅方向の端部に確実に干渉することになる。その上、第２取付部３１及び第２取付孔３３の長さ寸法が第１取付部３０及び第１取付孔３２の長さ寸法よりも大きく設定されているから、第２取付部３１の長さ方向の端部が第１取付孔３２の周縁部のうち長さ方向の端部に対して干渉する。従って、第１取付部３０が第２取付孔３３内に挿入不能とされるとともに、本体部２７がシャーシ１４及び反射シート２３から浮き上がった状態となる。これにより、作業者は取付向きが誤っていた事態に確実に気づくことができる。【００８８】
なお、ランプクリップ１８の取付向きが正規とは逆向きで、且つランプクリップ１８がシャーシ１４における取り付け予定位置とは本体部２７の長さ方向（シャーシ１４の短辺方向）についてずれていた場合には、第１取付部３０が第１取付孔３２内に、または第２取付部３１が第２取付孔３３内に進入する可能性がある。しかし、その場合でも、進入し得る一方の取付部とは異なる他方の取付部が対応する取付孔とは整合せず、その他方の取付部が反射シート２３上に載って本体部２７が浮き上がった状態となるので、作業者は取付向きが誤っていた事態に気づくことができる。言い換えると、シャーシ１４の短辺方向に並んだ各取付孔３２，３３は、同短辺方向について隣り合う位置に取り付けられるランプクリップ１８の取付向きが正規とは逆向きで、且つランプクリップ１８が取り付け予定位置とは本体部２７の長さ方向についてずれていた場合、そのランプクリップ１８の取付部３０，３１に対して不整合となる配置となっている。【００８９】
以上のように各ランプクリップ１８は、シャーシ１４における各領域Ａ１，Ａ２に適合した取付向き（取付姿勢、取付状態）でないと取り付けが規制されるようになっている。従って、シャーシ１４に全てのランプクリップ１８を取り付けた状態では、図９に示すように、各ランプクリップ１８の支持ピン２９が基準線Ｌ１側に偏心した状態に確実に揃えられる。これにより、後に拡散板１５ａを取り付けたとき、拡散板１５ａにおける画面中央側を各支持ピン２９により良好に支持することができ、熱膨張や熱収縮が発生した場合でも拡散板１５ａが冷陰極管１７側に撓んだり反る事態が生じ難くなっている。特に本実施形態においては、液晶表示装置１０を薄型化すべく、液晶パネル１１を直接拡散板１５ａ及び光学シート１５ｂにて受ける構造としているため、液晶パネル１１と拡散板１５ａ及び光学シート１５ｂとの間の距離がごく僅かとなるか殆ど確保できなくなっており、このようなケースでは拡散板１５ａ及び光学シート１５ｂの外周縁部がホルダ２０と液晶パネル１１との間で挟み付けられて拘束され易くなる傾向にある。このため、熱による伸縮が画面中央部側に偏って（集中的に）生じ易くなるが、上記のように画面中央側に各支持ピン２９を集約させることで、拡散板１５ａの反りや撓みを良好に規制することができ、もって液晶表示装置１０の薄型化に極めて好適となっている。また逆に言うと、仮に正規とは反対の取付向きでの取り付けが許容されると、支持ピン２９が基準線Ｌ１から遠い側に偏心して配されることになり、拡散板１５ａの支持機能が低下するおそれがあるが、そのような事態を確実に回避することができる。【００９０】
上記のようにしてランプクリップ１８を取り付けた後、各ランプ把持部２８に対して各冷陰極管１７を取り付け、それからホルダ２０を取り付ける。その後、拡散板１５ａ及び各光学シート１５ｂを積層設置したら、その表側からさらに液晶パネル１１を載置した後、ベゼル１３を組み付けることで、液晶表示装置１０が組み付けられる。【００９１】
続いて、バックライト装置１２における各冷陰極管１７を点灯させたときの作用について説明する。各冷陰極管１７から発せられた線状の光は、図１２に示すように、拡散板１５ａに対して直接または反射シート２３やランプクリップ１８にて反射されてから照射されるとともに拡散板１５ａ及び各光学シート１５ｂを透過する過程で面状の光に変換され、それから液晶パネル１１へと照射される。次に冷陰極管１７から発せられた光とランプクリップ１８との関係について詳細に説明する。【００９２】
冷陰極管１７は、ランプ把持部２８により把持されており、ランプ把持部２８における底面のうち冷陰極管１７の中心Ｃの直下に位置する第１支持点Ｓ１と、両保持突起４１の第２支持点Ｓ２及び第３支持点Ｓ３とによって三点支持されている。そして、冷陰極管１７の外周面と両アーム部３９の内周面との間には、周方向について各支持点Ｓ１〜Ｓ３間に隙間が確保されている。従って、バックライト装置１２の薄型化に伴い冷陰極管１７が本体部２７の頂点Ｐ１よりも低い位置に保持され、反射シート２３との間の距離が僅かにしか確保できない場合であっても、冷陰極管１７から発せられた光を、上記隙間を通してランプ把持部２８の外部へと効率的に出射させることができる。【００９３】
しかも、ランプ把持部２８の内周面のうち、両アーム部３９間の底面には、図１５に示すように、冷陰極管１７の長さ方向（Ｘ軸方向）に関して中央位置（頂点Ｐ２）が最も高く、両端位置が最も低くなる傾斜面４４が一対形成され、傾斜面４４と冷陰極管１７との間の隙間が同中央位置から両端位置に行くほど広がる形態、つまり裾広がり形状とされている。従って、冷陰極管１７からランプ把持部２８の底面側（シャーシ１４側、真下、真裏）へ向けて発せられた光は、冷陰極管１７の長さ方向についてランプ把持部２８の外側ほど広がった形態の上記隙間を通ってランプ把持部２８の外部へと効率的に出射される。このとき、冷陰極管１７からランプ把持部２８の底面へ向けて発せられた光は、隙間を通りつつ傾斜面４４にあたることで冷陰極管１７の長さ方向についてランプ把持部２８の外向きに反射するよう角度付けがなされるから、再び冷陰極管１７内に戻される光を殆ど無くすことができ、もって光の取り出し効率がさらに良好なものとなっている。【００９４】
また、ランプ把持部２８の底部４３が対称形状とされ、両傾斜面４４の傾斜角度が同一とされているから、冷陰極管１７と底部４３との間において両傾斜面４４の頂点Ｐ２から図１５に示す左右にほぼ均等に光を出射させることができ、輝度ムラ防止に一層効果的となる。さらには、ランプ把持部２８の底部４３における突出部３７が断面三角形状とされているから、底部４３の突出部３７の表面の全体に形成された傾斜面４４によって光を拡散板１５ａ側に反射させることができ、また仮に断面台形状などとした場合と比べると、傾斜面４４の傾斜角度を緩やかにすることができるので、光の反射効率の均一化に一層好適となっている。【００９５】
その上、ランプ把持部２８の底面のみならず、アーム部３９、保持突起４１、及びガイド部４２における内周面の全域にわたって上記した傾斜面４４と同様の勾配を持つ拡張傾斜面４５が形成されているから、拡張傾斜面４５と冷陰極管１７との間には冷陰極管１７の長さ方向について中央位置から両端位置に行くに従って次第に広がる隙間が形成されている。従って、冷陰極管１７から底面側へ発せられる光のみならず、両側方や表側などに発せられる光についても、上記拡張傾斜面４５との間の隙間を通ってランプ把持部２８の外部へと効率的に出射させることができ、且つ隙間を通った光が拡張傾斜面４５にあたることで冷陰極管１７の長さ方向についてランプ把持部２８の外向きに反射するよう角度付けがなされるから、光の取り出し効率がより一層良好なものとなっている。【００９６】
それに加えて、ランプクリップ１８における各ランプ把持部２８間（各冷陰極管１７間）においては、図１３及び図１４に示すように、本体部２７に幅方向について中央位置から両端位置にかけて下り勾配の傾斜面３８を有する突出部３７が形成されているから、冷陰極管１７から発せられた光は、傾斜面３８にあたることで良好に拡散板１５ａ側へと反射される。このとき、傾斜面３８によって反射された光は、冷陰極管１７の長さ方向について本体部２７の外向きに角度付けがなされるから、輝度ムラの低下に好適となる。それとともに、突出部３７における長さ方向に沿った幅方向の両端部が中央部と比べて全域にわたって薄肉となっていて台座部３６との間で殆ど段差が生じていないから、突出部３７には影となり得る部分（突出部３７における幅方向の両側端面）が殆ど存在せず、影として視認されることが殆どない。さらには、突出部３７が断面三角形状とされているから、突出部３７の表面の全体に形成された傾斜面３８によって光を拡散板１５ａ側に反射させることができ、また仮に断面台形状などとした場合と比べると、傾斜面３８の傾斜角度を緩やかにすることができるので、光の反射効率の均一化に一層好適となっている。また、突出部３７の突出先端である頂点Ｐ１における厚さ寸法Ｔ１は、台座部３８の厚さ寸法Ｔ２よりも大きくなっているから、突出部３７によって反射する光量が多くなり、台座部３８が暗部として視認され難くなっている。以上により、本体部２７の表面における光の反射効率が極力均一化されるので、本体部２７において暗部が生じることが極力防がれる。【００９７】
その上、突出部３７の裏側には所定の厚みを持った台座部３６が形成されているから、突出部３７のうち薄肉となった幅方向の両端部に光があたった場合でも、光が本体部２７を透過する事態が防がれるようになっている。この本体部２７のうち反射シート２３の各挿通孔３４，３５に対応する部分の裏側には、図１３に示すように、反射シート２３の各挿通孔３４，３５がシャーシ１４の各取付孔３２，３３よりも一回り大きいことに起因して、シャーシ１４が反射シート２３を介することなく直接配置されることになるため、仮に光が本体部２７を透過することができると、反射シート２３と比較して光の反射率が低いシャーシ１４が暗部として視認される事態が懸念される。しかし、既述した通り、突出部３７における薄肉部分の裏側には、十分な厚みを持った台座部３６が形成されるとともに各取付孔３２，３３及び各挿通孔３４，３５を閉塞しているので、光が本体部２７を透過する事態が回避されるとともにシャーシ１４における各挿通孔３４，３５の内側部分が表側から暗部として視認されることが防がれる。【００９８】
以上のように本実施形態によれば、冷陰極管１７から発せられた光の取り出し効率が極めて高くなるとともに、ランプクリップ１８やシャーシ１４の一部が暗部として視認され難くなっているから、バックライト装置１２を薄型化するのに伴って、液晶パネル１１と拡散板１５ａ及び光学シート１５ｂとの間の距離や、拡散板１５ａと冷陰極管１７及びランプクリップ１８との間の距離や、冷陰極管１７と反射シート２３との間の距離が縮められたときでも、輝度ムラが極めて生じ難くなっており、もって超薄型の液晶表示装置１０においても良好な表示性能を得ることができる。【００９９】
なお、本実施形態で用いた冷陰極管１７は管径が４．０ｍｍ、冷陰極管１７と反射シート２３との間の距離が０．８ｍｍ、隣り合う冷陰極管１７間の距離が１６．４ｍｍ、冷陰極管１７と拡散板１５ａとの距離が２．７ｍｍとされている。このようにバックライト装置１２では各構成部材間で薄型化が図られており、特に冷陰極管１７と拡散板１５ａとの距離、冷陰極管１７と反射シート２３との距離を小さくしている。そして、このようなバックライト装置１２の薄型化により、液晶表示装置１０の厚さ（つまり液晶パネル１１の表面からバックライト装置１２の裏面に至る厚さ）が１６ｍｍ、テレビ受信装置ＴＶの厚さ（つまり表側キャビネットＣａの表面から裏側キャビネットＣｂの裏面に至る厚さ）が３４ｍｍとされ、薄型のテレビ受信装置が実現されている。【０１００】
＜実施形態２＞
本発明の実施形態２を図２２によって説明する。この実施形態２では、シャーシ１４‐Ａに設定する基準線Ｌ１‐Ａの位置を変更したものを示す。なお、この実施形態２では、上記した実施形態１と同じ名称の部位には、同一の符号を用いるとともにその末尾に添え字‐Ａを付すものとし、構造、作用及び効果について重複する説明は省略する。【０１０１】
実施形態１でも説明した通り、バックライト装置１２‐Ａに組み込まれた拡散板（図示せず）は、熱膨張または熱収縮し得る部材であるが、その面内においてどの部分が伸縮し易くなるかは、バックライト装置１２‐Ａを点灯・消灯したときの熱分布に依存する傾向にある。この熱分布が均一なものであれば、拡散板は画面中央側ほど伸縮が生じ易くなるが、熱分布に偏りがあれば、それに応じて拡散板の伸縮し易い部分が画面中央からシフトし得る。従って、バックライト装置１２‐Ａの熱分布を解析することで、拡散板における伸縮が生じ易い部分を特定し、それに応じて各ランプクリップ１８‐Ａの支持ピン２９‐Ａの偏り配置の基準となる基準線Ｌ１‐Ａの位置を設定することができる。【０１０２】
具体的には、図２２に示すように、シャーシ１４‐Ａにおける短辺方向の中央位置よりも同図上側位置において拡散板の伸縮が生じ易い場合には、基準線Ｌ１‐Ａを短辺方向の中央位置から同図上側にシフトさせる。そして、シャーシ１４‐Ａのうち、偏心配置とされた基準線Ｌ１‐Ａよりも図２２に示す上側を第１領域Ａ１‐Ａとしてそこに第１のランプクリップ群１８Ａ‐Ａを設置するとともに、同図下側を第２領域Ａ２‐Ａとしてそこに第２のランプクリップ群１８Ｂ‐Ａを設置するようにすればよい。これにより、拡散板における伸縮し易い部分寄りに各支持ピン２９‐Ａが配置されるので、拡散板の撓みや反りを確実に規制することができる。なお、このとき第１のランプクリップ群１８Ａ‐Ａと、第２のランプクリップ群１８Ｂ‐Ａとでランプクリップ１８‐Ａの数が相違することになっても構わない。以上のようにすれば、バックライト装置１２‐Ａの設計に対応して拡散板の支持状態を最適化することができる。【０１０３】
なお、バックライト装置１２‐Ａの内部では、点灯に伴って暖かい空気が上昇する対流が生じる場合があり、その場合はバックライト装置１２‐Ａのうち、液晶表示装置を使用する際の鉛直方向の上部が下部よりも高温になり勝ちである。拡散板は、高温部位ほど伸縮量が大きくなる傾向にあるから、このようなケースにおいては基準線Ｌ１‐Ａを、液晶表示装置を使用する際の鉛直方向の上側にシフトさせるのが効果的である。【０１０４】
＜実施形態３＞
本発明の実施形態３を図２３または図２４によって説明する。この実施形態３では、シャーシ１４‐Ｂにおける冷陰極管１７‐Ｂなどの配置及び基準線Ｌ‐Ｂの配置を変更したものを示す。なお、この実施形態３では、上記した実施形態１と同じ名称の部位には、同一の符号を用いるとともにその末尾に添え字‐Ｂを付すものとし、構造、作用及び効果について重複する説明は省略する。【０１０５】
冷陰極管１７‐Ｂは、図２３に示すように、その長さ方向をシャーシ１４‐Ｂ（拡散板）の短辺方向と一致させた状態でシャーシ１４‐Ｂに取り付けられ、複数本が互いに平行に並んで配される。これらの冷陰極管１７‐Ｂを保持するためのランプクリップ１８‐Ｂは、本体部２７‐Ｂの長さ方向をシャーシ１４‐Ｂ（拡散板）の長辺方向と一致させた状態でシャーシ１４‐Ｂに取り付けられる。そして、支持ピン２９‐Ｂが偏心配置された各ランプクリップ１８‐Ｂの取付向きの基準となる基準線Ｌ１‐Ｂは、シャーシ１４‐Ｂ（拡散板）の長辺方向の中央位置を通って短辺方向に沿って横切るよう設定されている。このようにすれば、シャーシ１４‐Ｂの長辺方向を鉛直方向と一致させた姿勢で使用する液晶表示装置についても、拡散板の撓みや反りを良好に規制することができる。【０１０６】
なお、上記実施形態２にて説明した設計思想を適用し、図２４に示すように、基準線Ｌ１‐Ｂ′の位置をシャーシ１４‐Ｂ′の長辺方向の中央位置からシフトさせることも勿論可能である。【０１０７】
＜実施形態４＞
本発明の実施形態４を図２５ないし図２８によって説明する。この実施形態４では、ランプクリップ１８‐Ｃの不正な向きでの取り付けを規制する構造を変更したものを示す。なお、この実施形態４では、上記した実施形態１と同じ名称の部位には、同一の符号を用いるとともにその末尾に添え字‐Ｃを付すものとし、構造、作用及び効果について重複する説明は省略する。【０１０８】
ランプクリップ１８‐Ｃにおける第１取付部３０‐Ｃと第２取付部３１‐Ｃとでは、図２５に示すように、幅寸法がほぼ同一とされている。このうち、第１取付部３０‐Ｃにおける片部４７‐Ｃの両側面からは、一対の規制部５３が側方へ突出して形成されている。従って、第１取付部３０‐Ｃは、規制部５３に対応した箇所が部分的に幅広に形成されている。一方、シャーシ１４‐Ｃにおける第１取付孔３２‐Ｃと第２取付孔３３‐Ｃとでは、図２６に示すように、各取付部３０‐Ｃ，３１‐Ｃに合わせて同一幅とされているものの、第１取付孔３２‐Ｃには、規制部５３に対応した切り欠き５４が形成されることで部分的に拡幅されている。【０１０９】
従って、ランプクリップ１８‐Ｃを正規とは異なる取付向きで取り付けようとすると、第１取付部３０‐Ｃの両規制部５３が第２取付孔３３‐Ｃの周縁部に干渉することになる。これにより、不正な向きでのランプクリップ１８‐Ｃの取り付けを確実に規制することができる。【０１１０】
なお、ランプクリップ１８‐Ｃの不正な向きでの取り付けを規制する構造の変形例としては、例えば図２７及び図２８に示すように、第１取付部３０‐Ｃ′及び第１取付孔３２‐Ｃ′よりも第２取付部３１‐Ｃ′及び第２取付孔３３‐Ｃ′の幅寸法を大きくしてもよい。【０１１１】
＜実施形態５＞
本発明の実施形態５を図２９によって説明する。この実施形態５では、本体部２７‐Ｄの断面形状を変更したものを示す。なお、この実施形態５では、上記した実施形態１と同じ名称の部位には、同一の符号を用いるとともにその末尾に添え字‐Ｄを付すものとし、構造、作用及び効果について重複する説明は省略する。【０１１２】
本体部２７‐Ｄは、図２９に示すように、断面ブロック状をなす台座部３６‐Ｄと、断面三角形状の突出部３７‐Ｄとを積み上げた構成とされるが、突出部３７‐Ｄの頂点Ｐ１における厚さ寸法Ｔ３は、台座部３６‐Ｄの厚さ寸法Ｔ４よりも小さくなる設定とされている。そして、これら突出部３７‐Ｄの厚さ寸法Ｔ３と台座部３６‐Ｄの厚さ寸法Ｔ４とを足し合わせた寸法（本体部２７‐Ｄの厚さ寸法）は、実施形態１に示した突出部３７の厚さ寸法Ｔ１と台座部３６の厚さ寸法Ｔ２とを足し合わせた寸法（図１３参照）と同一に設定されている。従って、突出部３７‐Ｄにおける両傾斜面３８‐Ｄの傾斜角度θ４は、実施形態１に示した同傾斜面３８の傾斜角度θ１，θ２よりも小さくなっている。このとき、両傾斜面３８‐Ｄの傾斜角度θ４について、実施形態１に示したランプ把持部２８における底面の両傾斜面４４の傾斜角度θ３（図１５参照）と同一にすることも可能であり、そうすることでランプクリップ１８‐Ｄの表面における反射効率の一層の均一化を図ることができる。【０１１３】
＜実施形態６＞
本発明の実施形態６を図３０によって説明する。この実施形態６では、本体部２７‐Ｅの断面形状を変更したものを示す。なお、この実施形態６では、上記した実施形態１と同じ名称の部位には、同一の符号を用いるとともにその末尾に添え字‐Ｅを付すものとし、構造、作用及び効果について重複する説明は省略する。【０１１４】
本体部２７‐Ｅを構成する突出部３７‐Ｅは、図３０に示すように、断面形状が略台形状とされる。突出部３７‐Ｅの幅方向の両側面には、一対の傾斜面３８‐Ｅが形成されており、それら両傾斜面３８‐Ｅの頂点同士がＸ軸方向と平行な平坦面５５によって繋がれている。この突出部３７‐Ｅにおいて平坦面５５と各傾斜面３８‐Ｅとがなす角度θ５は、実施形態１に記載した突出部３７における両傾斜面３８がなす角度（図１３参照）よりも大きくなっている。従って、ランプクリップ１８‐Ｅを樹脂成形する際に、金型内に溶融状態の樹脂材料が万遍なく流れ込み易くなっており、もって成形不良が生じ難くなっている。【０１１５】
＜実施形態７＞
本発明の実施形態７を図３１によって説明する。この実施形態７では、本体部２７‐Ｆの断面形状を変更したものを示す。なお、この実施形態７では、上記した実施形態１と同じ名称の部位には、同一の符号を用いるとともにその末尾に添え字‐Ｆを付すものとし、構造、作用及び効果について重複する説明は省略する。【０１１６】
本体部２７‐Ｆを構成する突出部３７‐Ｆは、図３１に示すように、断面形状が略弓形とされる。突出部３７‐Ｆの周面には、円弧状の曲面５６が全周にわたって形成されている。この曲面５６は、突出部３７‐Ｆの幅方向の両端位置（冷陰極管１７‐Ｆの長さ方向についての両端部）と頂点Ｐ１とを結んだ線Ｌ２よりも外側を通って外向きに膨らんだ形状とされる。この曲面５６に光が反射すると、反射光は特定の向きに向かうことなく適度に散乱される。従って、反射効率の均一化に好適となる。また、仮に突出部を線Ｌ２よりも内向きに引っ込む形状とした場合と比べると、強度上有利となる。【０１１７】
＜実施形態８＞
本発明の実施形態８を図３２によって説明する。この実施形態８では、ランプ把持部２８‐Ｇの底部４３‐Ｇの断面形状を変更したものを示す。なお、この実施形態８では、上記した実施形態１と同じ名称の部位には、同一の符号を用いるとともにその末尾に添え字‐Ｇを付すものとし、構造、作用及び効果について重複する説明は省略する。【０１１８】
ランプ把持部２８‐Ｇの底部４３‐Ｇを構成する突出部３７‐Ｇは、図３２に示すように、断面形状が略台形状とされる。底部４３‐Ｇの突出部３７‐Ｇの両側面には、一対の傾斜面４４‐Ｇが形成されており、それら両傾斜面４４‐Ｇの頂点同士がＸ軸方向と平行な平坦面５７によって繋がれている。この底部４３‐Ｇにおいて平坦面５７と各傾斜面４４‐Ｇとがなす角度θ６は、実施形態１に記載した底部４３における両傾斜面４４がなす角度（図１５参照）よりも大きくなっている。従って、ランプクリップ１８‐Ｇを樹脂成形する際に、金型内に溶融状態の樹脂材料が万遍なく流れ込み易くなっており、もって成形不良が生じ難くなっている。【０１１９】
＜実施形態９＞
本発明の実施形態９を図３３によって説明する。この実施形態９では、ランプ把持部２８‐Ｈの底部４３‐Ｈの断面形状を変更したものを示す。なお、この実施形態９では、上記した実施形態１と同じ名称の部位には、同一の符号を用いるとともにその末尾に添え字‐Ｈを付すものとし、構造、作用及び効果について重複する説明は省略する。【０１２０】
底部４３‐Ｈを構成する突出部３７‐Ｈは、図３３に示すように、断面形状が略弓形とされる。底部４３‐Ｈの突出部３７‐Ｈの周面には、円弧状の曲面５８が全周にわたって形成されている。この曲面５８は、突出部３７‐Ｈの幅方向の両端位置と頂点Ｐ２とを結んだ線Ｌ３よりも外側を通って外向きに膨らんだ形状とされる。この曲面５８に光が反射すると、反射光は特定の向きに向かうことなく適度に散乱される。従って、反射効率の均一化に好適となる。また、仮に突出部を線Ｌ３よりも内向きに引っ込む形状とした場合と比べると、強度上有利となる。【０１２１】
＜実施形態１０＞
本発明の実施形態１０を図３４によって説明する。この実施形態１０では、ランプ把持部２８‐Ｉの底部４３‐Ｉの断面形状を変更したものを示す。なお、この実施形態１０では、上記した実施形態１と同じ名称の部位には、同一の符号を用いるとともにその末尾に添え字‐Ｉを付すものとし、構造、作用及び効果について重複する説明は省略する。【０１２２】
底部４３‐Ｉを構成する突出部３７‐Ｉは、図３４に示すように、両側面が円弧状に引っ込んだ断面略山形に形成されている。底部４３‐Ｉの突出部３７‐Ｉにおける両側面には、突出部３７‐Ｉの幅方向の両端位置と頂点Ｐ２とを結んだ線Ｌ４よりも内側を通って内向きに窄んだ一対の円弧状の曲面５９が形成されている。底部４３‐Ｉは、両曲面５９によって頂点Ｐ２に行くに連れて先細りとなる形態とされている。このようにすれば、冷陰極管１７‐Ｉと底部４３‐Ｉとの間の隙間をより大きく確保することができるので、光の取り出し効率の一層の向上を図ることができる。また、仮に線Ｌ４よりも外向きに膨らんだ形状とした場合と比べると、材料費を低減できる。【０１２３】
＜実施形態１１＞
本発明の実施形態１１を図３５によって説明する。この実施形態１１では、ランプ把持部２８‐Ｊの底部４３‐Ｊの断面形状を変更したものを示す。なお、この実施形態１１では、上記した実施形態１と同じ名称の部位には、同一の符号を用いるとともにその末尾に添え字‐Ｊを付すものとし、構造、作用及び効果について重複する説明は省略する。【０１２４】
底部４３‐Ｊを構成する突出部３７‐Ｊは、図３５に示すように、断面形状が幅方向について非対称の三角形とされている。従って、底部４３‐Ｊの突出部３７‐Ｊの両側面に形成された一対の傾斜面４４‐Ｊは、互いに傾斜角度が異なる設定とされている。このようにすれば、冷陰極管１７‐Ｊと底部４３‐Ｊとの間において、底部４３‐Ｊの頂点Ｐ２から図３５に示す左右に出射する光の量を左右で異ならせることができ、そのような設計が求められるバックライト装置において好適となる。或いは、バックライト装置に輝度分布補正機能を付加する場合に利用することができる。なお、この場合、頂点Ｐ２は、底部４３‐Ｊにおける幅方向の中央から偏心した位置となる。【０１２５】
＜実施形態１２＞
本発明の実施形態１２を図３６または図３７によって説明する。この実施形態１２では、ランプクリップ１８‐Ｋにおける各ランプ把持部２８‐Ｋの配置を変更したものを示す。なお、この実施形態１２では、上記した実施形態１と同じ名称の部位には、同一の符号を用いるとともにその末尾に添え字‐Ｋを付すものとし、構造、作用及び効果について重複する説明は省略する。【０１２６】
ランプ把持部２８‐Ｋは、図３６に示すように、本体部２７‐Ｋにおいてその長さ方向に離間した位置に複数（４つ）並んで配されているが、各ランプ把持部２８‐Ｋ間のピッチ（間隔）ＰＴ１〜ＰＴ３が異なる設定とされている。具体的には、隣り合うランプ把持部２８‐Ｋ間のピッチＰＴ１〜ＰＴ３は、本体部２７‐Ｋにおける支持ピン２９‐Ｋ側の端部側ほど小さく、支持ピン２９‐Ｋ側とは反対の端部側ほど大きくなっている。つまり、ランプクリップ１８‐Ｋにおけるランプ把持部２８‐Ｋの分布密度は、偏心配置された支持ピン２９‐Ｋ側に行くほど高くなるよう設定されている。【０１２７】
そして、シャーシ１４‐Ｋには、図３７に示すように、上記した構造のランプクリップ１８‐Ｋが複数取り付けられるのであるが、各ランプクリップ１８‐Ｋは、シャーシ１４‐Ｋに対する取付位置に応じてランプ把持部２８‐Ｋ間のピッチＰＴ１〜ＰＴ３が異なる設計とされる。具体的には、シャーシ１４‐Ｋにおける基準線Ｌ１‐Ｋ近くに設置されるランプクリップ１８‐Ｋにおける各ランプ把持部２８‐Ｋ間のピッチの最大値ＰＴｍａｘは、そのランプクリップ１８‐Ｋよりも基準線Ｌ１‐Ｋから遠い位置に取り付けられるランプクリップ１８‐Ｋにおける各ランプ把持部２８‐Ｋ間のピッチの最小値ＰＴｍｉｎよりも小さくなるよう設定されている。つまり、シャーシ１４‐Ｋにおけるランプ把持部２８‐Ｋの分布密度は、基準線Ｌ１‐Ｋ側に行くほど高くなるよう設定されている。【０１２８】
このような設計によれば、各冷陰極管１７‐Ｋを各ランプ把持部２８‐Ｋに取り付けると、隣り合う各冷陰極管１７‐Ｋ間のピッチが不等になるとともに、シャーシ１４‐Ｋにおける基準線Ｌ１‐Ｋ側ほど冷陰極管１７‐Ｋの分布密度が高く、両端側ほど冷陰極管１７‐Ｋの分布密度が低くなる。これにより、バックライト装置１２‐Ｋにおける画面中央側の輝度を向上させることができるとともに、画面中央寄りに配された各支持ピン２９‐Ｋによって拡散板を良好に支持することができる。【０１２９】
＜実施形態１３＞
本発明の実施形態１３を図３８によって説明する。この実施形態１３では、本体部２７‐Ｌの形状を変更したものを示す。なお、この実施形態１３では、上記した実施形態１と同じ名称の部位には、同一の符号を用いるとともにその末尾に添え字‐Ｌを付すものとし、構造、作用及び効果について重複する説明は省略する。【０１３０】
本体部２７‐Ｌは、図３８に示すように、全長にわたって一定幅に形成されている。このようにすれば、ランプクリップ１８‐Ｌの形状を簡素化することができ、金型制作費の低減などを図ることができる。【０１３１】
＜実施形態１４＞
本発明の実施形態１４を図３９によって説明する。この実施形態１４では、取付部６０を変更したものを示す。なお、この実施形態１４では、上記した実施形態１と同じ名称の部位には、同一の符号を用いるとともにその末尾に添え字‐Ｍを付すものとし、構造、作用及び効果について重複する説明は省略する。【０１３２】
取付部６０は、図３９に示すように、本体部２７‐Ｍの裏面から突出する基部６１と、基部６１の突出端から本体部２７‐Ｍ側に折り返されて基部６１と対向する一対の係止片６２とから構成されている。係止片６２は、基部６１側に接近するよう弾性変形可能とされ、その先端部に段付き状の係止面６２ａが形成されている。シャーシ１４‐Ｍの取付孔６３は、両係止片６２における係止面６２ａ間の間隔とほぼ同じ径寸法とされる。【０１３３】
ランプクリップ１８‐Ｍをシャーシ１４‐Ｍに対して表側からＺ軸方向に沿って押し込むと、各取付部６０が各取付孔６３内に挿入されるとともに、係止片６２が一旦弾性変形される。そして、ランプクリップ１８‐Ｍが正規深さまで押し込まれると、取付部６０がシャーシ１４‐Ｍの裏側に突出するとともに係止片６２が復元して係止面６２ａがシャーシ１４‐Ｍにおける取付孔６３の周縁部に裏側から係止される。これにより、ランプクリップ１８‐Ｍがシャーシ１４‐Ｍに対して取付状態に保持される。このように、上記した実施形態１に記載したスライド取り付け式のランプクリップ１８以外にも、本実施形態のような差し込み取り付け式のランプクリップ１８‐Ｍにおいても、輝度ムラを良好に防ぐことができる。また、取付部６０が支持ピン２９‐Ｍの直下位置に設置されているから、ランプクリップ１８‐Ｍをシャーシ１４‐Ｍに取り付ける際の操作性が向上している。【０１３４】
＜実施形態１５＞
本発明の実施形態１５を図４０または図４１によって説明する。この実施形態１５では、ランプ把持部２８‐Ｎの形状を変更したものを示す。なお、この実施形態１５では、上記した実施形態１と同じ名称の部位には、同一の符号を用いるとともにその末尾に添え字‐Ｎを付すものとし、構造、作用及び効果について重複する説明は省略する。【０１３５】
ランプ把持部２８‐Ｎを構成する保持突起４１‐Ｎは、図４０に示すように、幅寸法（Ｘ軸方向の寸法）が外側から内側にかけて、つまり冷陰極管１７に向かって次第に小さくなる、いわゆる先細り状（先窄み状）に形成されている。詳しくは、保持突起４１‐Ｎの幅寸法、つまり冷陰極管１７‐Ｎの長さ方向に沿った寸法は、冷陰極管１７‐Ｎにおける中心軸線ＡＸまでの距離が最も大きい外端位置において最も大きく、冷陰極管１７‐Ｎにおける中心軸線ＡＸまでの距離が最も短い内端位置において最も小さく、冷陰極管１７‐Ｎにおける中心軸線ＡＸ側に向けて次第に小さくなっている。つまり、保持突起４１‐Ｎにおける幅寸法は、取付状態における冷陰極管１７‐Ｎにおける中心軸線ＡＸまでの距離に比例する傾向を持っている。このため、保持突起４１‐Ｎにおける幅方向の両側面には、同じ傾斜角度のテーパ面（傾斜面）４１ａが一対形成されている。また、保持突起４１は、ランプ把持部２８のうち冷陰極管１７を表側（光出射側）から覆う部分であるとともに、表側から見た場合に先細り状に形成されていることになる。【０１３６】
そして、図４１に示すように、上記した保持突起４１‐Ｎの形状に合わせてアーム部３９‐Ｎも同様の先細り形状となっており、アーム部３９‐Ｎにおける幅方向の両側面にも保持突起４１‐Ｎ側に連続する拡張テーパ面３９ａが形成され、もって保持突起４１‐Ｎとの間で段差が生じることが避けられている。拡張テーパ面３９ａは、アーム部３９‐Ｎのうち保持突起４１‐Ｎに隣接する先端部から根元部に至るほぼ全長にわたって形成されている。アーム部３９‐Ｎは、全長にわたって幅寸法が外端位置から内端位置にかけて次第に小さくなっている。従って、アーム部３９‐Ｎのうち冷陰極管１７‐Ｎの中心よりも表側の部分にも拡張テーパ面３９ａが形成されていることになる。なお、ガイド部についても保持突起４１‐Ｎ及びアーム部３９‐Ｎと同様に先細り形状とされる。また、ランプ把持部２８‐Ｎを全体から見たとき、最も冷陰極管１７‐Ｎにおける中心軸線ＡＸに近い保持突起４１‐Ｎにおける内端部が最も幅狭に形成されている。【０１３７】
冷陰極管１７‐Ｎを取り付けた状態では、図４０に示すように、ランプ把持部２８‐Ｎのうち保持突起４１‐Ｎは、冷陰極管１７‐Ｎに対して表側（光出射側）に被さって影となり得る位置関係にあり、言い換えると冷陰極管１７‐Ｎと拡散板との間に介在する位置関係にある。そして、この保持突起４１‐Ｎは、上記したように先細り状に形成されているので、仮に保持突起の幅寸法を一定とした場合と比べると、冷陰極管１７‐Ｎに対する表側からの被覆面積が小さくなっている。このことは、冷陰極管１７‐Ｎにおける有効な発光面積が増加することを意味し、これにより冷陰極管１７‐Ｎから取り出される光量の増加が図られている。しかも、保持突起４１‐Ｎに加えてアーム部３９‐Ｎ及びガイド部についても全長にわたって先細り形状となっているので、冷陰極管１７‐Ｎの外周面を取り囲むアーム部３９‐Ｎ、保持突起４１‐Ｎ、及びガイド部による冷陰極管１７に対する被覆面積が周方向について最大限減少し、光量の増加に一層有効となっている。なお、仮にランプ把持部を単純に幅狭に形成した場合には、強度が不足するおそれがあるが、本実施形態ではランプ把持部２８‐Ｎにおける外端部側については従前通りの幅寸法を確保しているので、十分な強度を確保することができる。【０１３８】
続いて、各冷陰極管１７‐Ｎを点灯させたときの作用について説明する。図４０に示すように、冷陰極管１７‐Ｎを表側（光出射側）から覆う位置関係にあるランプ把持部２８‐Ｎの両保持突起４１‐Ｎが内端側ほど先細り状に形成されているから、仮に保持突起の幅寸法を一定とした場合と比べると、冷陰極管１７‐Ｎを表側から見た場合の保持突起４１‐Ｎによる被覆面積が小さくなっている。これにより、冷陰極管１７‐Ｎの有効な発光面積を増加することができて冷陰極管１７‐Ｎから取り出される光量を十分に確保することができるとともに、冷陰極管１７‐Ｎを表側から覆う保持突起４１‐Ｎが暗部として視認され難くなる。また、保持突起４１‐Ｎ（ランプ把持部２８‐Ｎ）が対称形状とされ、両テーパ面４１ａの傾斜角度が同一とされているから、輝度ムラ防止に一層効果的となる。しかも、図４１に示すように、保持突起４１‐Ｎに加えてアーム部３９‐Ｎ及びガイド部についても全長にわたって先細り形状となるよう拡張テーパ面３９ａが形成されているので、冷陰極管１７‐Ｎの外周面を取り囲むアーム部３９‐Ｎ、保持突起４１‐Ｎ、及びガイド部による冷陰極管１７‐Ｎに対する被覆面積が周方向について最大限減少し、光量の増加に一層有効となっている。【０１３９】
＜実施形態１６＞
本発明の実施形態１６を図４２または図４３によって説明する。この実施形態１５では、ランプ把持部２８‐Ｏの形状を変更したものを示す。なお、この実施形態１５では、上記した実施形態１と同じ名称の部位には、同一の符号を用いるとともにその末尾に添え字‐Ｏを付すものとし、構造、作用及び効果について重複する説明は省略する。【０１４０】
ランプ把持部２８‐Ｏにおける保持突起４１‐Ｏは、図４２に示すように、内周面に曲面６４が形成されることで冷陰極管１７‐Ｏに向かって先細り状に形成されている。詳しくは、保持突起４１‐Ｏの幅寸法は、外端側から内端側にかけて、つまり冷陰極管１７‐Ｏにおける中心軸線ＡＸ側に向けて次第に小さくなる設定とされる。また、アーム部３９‐Ｏについても保持突起４１‐Ｏに連続するよう先細り状に形成されている。これにより、冷陰極管１７‐Ｏにおけるランプ把持部２８‐Ｏによる被覆面積を低減でき、冷陰極管１７‐Ｏから取り出される光量を十分に確保することができる。【０１４１】
なお、さらなる変形例としては、図４３に示すように、保持突起４１‐Ｏ′の断面形状をほぼ三角形にし、両テーパ面４１ａ‐Ｏ′同士が直接接続される構成としてもよい。このとき、両テーパ面４１ａ‐Ｏ′同士がなす角度を鋭角とするのが好ましい。このようにすれば、ランプ把持部２８‐Ｏ′による冷陰極管１７‐Ｏ′の被覆面積を一層低減できるので、光量の増加に一層好適となる。【０１４２】
＜他の実施形態＞
本発明は上記記述及び図面によって説明した実施形態に限定されるものではなく、例えば次のような実施形態も本発明の技術的範囲に含まれる。
（１）上記した各実施形態以外にも、ランプクリップにおけるランプ把持部の数・形状・配置などを適宜に変更することができる。具体的には、ランプ把持部２８′の内周面の形状を変更し、図４４及び図４５に示すように、ランプ把持部２８′の内周面のうち傾斜面４４′の両側端位置に、アーム部３９′側に向けて上り勾配となる補助傾斜面６５を設けるようにしてもよい。またランプ把持部の数を３つ以下、または５つ以上としてもよい。またランプ把持部を構成する一対のアーム部が互いに非対称形状であってもよい。またランプ把持部が１本のアーム部により構成され、本体部の板面に沿って側方から冷陰極管を取り付ける構造としてもよい。またランプ把持部が本体部から所定高さ持ち上がった位置に配されるようにしてもよい。【０１４３】
（２）また、上記した実施形態１５，１６では、ランプ把持部を全域にわたって先細り形状としてテーパ面及び拡張テーパ面を形成した場合を示したが、保持突起に形成したテーパ面を除いて拡張テーパ面を省略したもの、つまり保持突起のみを先細り状としたものも本発明に含まれる。それ以外にも、例えばランプ把持部のうち冷陰極管の中心、詳しくは冷陰極管の中心を通るシャーシと平行な基準面よりも表側の領域についてはテーパ面及び拡張テーパ面を残すものの、裏側の領域について拡張テーパ面を省略してもよく、このようにすれば少なくとも冷陰極管から表側に出射される光については十分な量を確保することができ、暗部が視認され難くなる。【０１４４】
（３）また、上記した実施形態１では、ランプ把持部における内外周面の全域にわたって傾斜面（逃がし面）及び拡張傾斜面（拡張逃がし面）を形成した場合を示したが、底面に形成した傾斜面を除いて拡張傾斜面を省略したものも本発明に含まれる。それ以外にも、ランプ把持部における拡張傾斜面の形成範囲を適宜変更することができる。なお、傾斜面及び拡張傾斜面を双方とも省略してもよい。【０１４５】
（４）上記した各実施形態以外にも、ランプクリップにおける支持ピンの数・形状・配置などを適宜に変更することができる。具体的には、支持ピンを複数本配置するようにしてもよい。また支持ピンを角錐状に形成してもよい。また本体部における幅方向について偏心した位置に支持ピンを設置してもよい。また支持ピンを本体部における長さ方向の中央位置に配置してもよい。【０１４６】
（５）上記した各実施形態以外にも、ランプクリップにおける取付部の数・形状・配置などを適宜に変更することができる。具体的には、第２取付部３１′の配置を変更し、図４４及び図４５に示すように、第２取付部３１′の基部４９′が本体部２７′のうち支持ピン２９′の真裏の位置に連結されるようにしてもよい。また取付部を３つ以上設置するようにしてもよい。また第１取付部が本体部の端部から側方へ突出することがない設定とすることも可能である。なお、上記取付部の変更に合わせてシャーシの取付孔及び反射シートの挿通孔について数・形状・配置などを適宜に変更することができる。【０１４７】
（６）また、例えば各取付部を構成する片部が本体部の幅方向に沿って延出する形態とされ、本体部を幅方向に沿ってスライドさせることでシャーシに対する着脱がなされる構成としてもよい。【０１４８】
（７）上記した各実施形態以外にも、ランプクリップにおける本体部の形状などについては適宜に変更することができる。具体的には、本体部を平面視正方形としたり、また円形や楕円形や平面視四角形以外の多角形としたものも本発明に含まれる。その他にも、本体部の長さ方向を基準線（冷陰極管の長さ方向）と平行な向きでシャーシに取り付けるようにしてもよい。その場合、複数のランプ把持部が１本の冷陰極管を把持する設定としてもよい。【０１４９】
（８）また、上記した実施形態１では、突出部が幅方向に沿った一対の傾斜面を有するものを示したが、本体部における長さ方向の両端部において同長さ方向に沿った傾斜面を一対、付加的に設置するようにしたものも本発明に含まれる。また、突出部の断面形状については、上記した実施形態１，６，７以外にも適宜に変更可能である。このとき、突出部を断面非対称形状としてもよい。また、傾斜面と共に突出部を省略することも可能である。また、本体部から台座部または突出部を省略することも可能である。【０１５０】
（９）上記した各実施形態以外にも、シャーシにおける各ランプクリップの設置数・配置などは適宜に変更可能である。具体的には、図４６に示すように、基準線に隣接する位置にてシャーシ１４′′の長辺方向に沿って並ぶランプクリップ１８′′の数を２つとしてもよい。このとき、ランプクリップ１８′′からランプ把持部２８′′を省略したような構成で、支持ピン２９′′のみを有する支持部品６６を、ランプクリップ１８′′とは別途に設置してもよい。それ以外にも、シャーシにおける長辺方向についてのランプクリップの設置数や各ランプクリップ間の間隔を変更することができ、またシャーシの短辺方向に関しても同様に変更可能である。【０１５１】
（１０）上記した各実施形態では、基準線が冷陰極管の長さ方向と平行な向きに設定されたものを示したが、基準線が冷陰極管の長さ方向と直交する向きに設定されたものも本発明に含まれる。【０１５２】
（１１）上記した各実施形態では、光源として冷陰極管を使用した場合を示したが、例えば熱陰極管など他の種類の光源を用いたものも本発明に含まれる。【０１５３】
（１２）上記した各実施形態では、シャーシを金属製の板金よりなるものとしたが、樹脂成形よりなるものとしても良い。【０１５４】
（１３）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。【０１５５】
（１４）上記した各実施形態では、表示パネルとして液晶パネルを用いた液晶表示装置を例示したが、他の種類の表示パネルを用いた表示装置にも本発明は適用可能である。【０１５６】
（１５）上記した各実施形態では、チューナーを備えたテレビ受信装置を例示したが、チューナーを備えない表示装置にも本発明は適用可能である。【０１５７】
（１６）上記した実施形態１，８，１０，１１では、ランプ把持部の底面に幅方向の中央位置を頂点とする傾斜面または曲面が一対形成された場合を示したが、例えば頂点がランプ把持部における幅方向の両端部のうち一方の端部に設定され、そこから他方の端部に向かって下り勾配となる１つの傾斜面または曲面を形成するようにしたものも本発明に含まれる。【０１５８】
（１７）上記した実施形態１，４では、第１取付部と第２取付部との幅寸法及び長さ寸法を共に異ならせ、それに対応して第１取付孔と第２取付孔との幅寸法及び長さ寸法を共に異ならせたものを示したが、例えばそれぞれの長さ寸法を同一として幅寸法のみを異ならせたものや、それぞれの幅寸法を同一として長さ寸法のみを異ならせたものも本発明に含まれる。この場合でも、第１取付孔や第２取付孔に対する第１取付部や第２取付部の挿入方向と直交する方向について、両取付部の大きさ及び両取付孔の大きさがそれぞれ異なり、大きい方の取付部が小さい方の取付孔よりも大きくて挿入不能となるから、誤った取付向きでのランプクリップの取り付けを規制することができる。【０１５９】
（１８）上記した実施形態１，４では、各取付部のうち片部の幅寸法及び長さ寸法を共に異ならせた場合を示したが、各片部の幅寸法及び長さ寸法については同一とし、各基部の幅寸法（各図面のＸ軸方向の寸法）または厚さ寸法（各図面のＹ軸方向の寸法）の少なくともいずれか一方を異ならせるようにし、それに対応して各取付孔の大きさを異ならせるようにしたものも本発明に含まれる。要は、各取付部における各取付孔に対する挿入方向と直交する方向についての大きさが異なっていればよい。【０１６０】
（１９）また、実施形態４のさらなる変形例として、両取付部の少なくともいずれか一方に長さ方向へ部分的に突出する規制部を設け、両取付孔のうち規制部が設けられた取付部に対応する取付孔に規制部の挿入を許容する切り欠きを設けるようにしてもよい。【０１６１】
（２０）上記した各実施形態では、本体部を構成する突出部が一対の傾斜面または一対の曲面を持つ山形である場合を例示したが、例えば台座部の表側に山形形状の部位を複数並べ、３つ以上の傾斜面または３つ以上の曲面を持つ形態の突出部としたものも本発明に含まれる。さらには、突出部を山形以外の形状としたものも本発明に含まれる。
【図１】
2009093390.tif 000003
【図２】
2009093390.tif 000004
【図３】
2009093390.tif 000005
【図４】
2009093390.tif 000006
【図５】
2009093390.tif 000007
【図６】
2009093390.tif 000008
【図７】
2009093390.tif 000009
【図８】
2009093390.tif 000010
【図９】
2009093390.tif 000011
【図１０】
2009093390.tif 000012
【図１１】
2009093390.tif 000013
【図１２】
2009093390.tif 000014
【図１３】
2009093390.tif 000015
【図１４】
2009093390.tif 000016
【図１５】
2009093390.tif 000017
【図１６】
2009093390.tif 000018
【図１７】
2009093390.tif 000019
【図１８】
2009093390.tif 000020
【図１９】
2009093390.tif 000021
【図２０】
2009093390.tif 000022
【図２１】
2009093390.tif 000023
【図２２】
2009093390.tif 000024
【図２３】
2009093390.tif 000025
【図２４】
2009093390.tif 000026
【図２５】
2009093390.tif 000027
【図２６】
2009093390.tif 000028
【図２７】
2009093390.tif 000029
【図２８】
2009093390.tif 000030
【図２９】
2009093390.tif 000031
【図３０】
2009093390.tif 000032
【図３１】
2009093390.tif 000033
【図３２】
2009093390.tif 000034
【図３３】
2009093390.tif 000035
【図３４】
2009093390.tif 000036
【図３５】
2009093390.tif 000037
【図３６】
2009093390.tif 000038
【図３７】
2009093390.tif 000039
【図３８】
2009093390.tif 000040
【図３９】
2009093390.tif 000041
【図４０】
2009093390.tif 000042
【図４１】
2009093390.tif 000043
【図４２】
2009093390.tif 000044
【図４３】
2009093390.tif 000045
【図４４】
2009093390.tif 000046
【図４５】
2009093390.tif 000047
【図４６】
2009093390.tif 000048
【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
被取付部材に対して取り付けられる本体部と、
前記本体部に設けられ、ランプを把持可能なランプ把持部と、
前記本体部から前記被取付部材側へ突出し、前記被取付部材に形成された第１取付孔内に挿入されるとともに前記本体部との間で前記第１取付孔の周縁部を挟持可能な第１取付部と、
前記本体部から前記被取付部材側へ突出し、前記被取付部材に形成された第２取付孔内に挿入されるとともに前記本体部との間で前記第２取付孔の周縁部を挟持可能で、且つ大きさが前記第１取付部とは異なる第２取付部とを備えるランプ保持具。
【請求項２】
前記第１取付部及び前記第２取付部は、それぞれ前記本体部から前記被取付部材側へ突出する基部と、前記基部から前記本体部に沿う向きに突出する片部とから構成され、前記各片部は、対応する前記第１取付孔及び前記第２取付孔に挿入された状態からその突出方向に向けてスライドされることで、前記本体部との間で前記第１取付孔または前記第２取付孔の周縁部を挟持可能とされており、
前記第１取付部及び前記第２取付部は、スライド方向に沿い且つ前記スライド方向と直交する方向についての寸法が互いに異なっている請求の範囲第１項記載のランプ保持具。
【請求項３】
前記本体部は、略矩形状をなし、その長さ方向が前記スライド方向と一致している請求の範囲第２項記載のランプ保持具。
【請求項４】
前記第１取付部は、前記本体部における前記スライド方向の前端部よりもさらに突出して形成されている請求の範囲第２項または請求の範囲第３項に記載のランプ保持具。
【請求項５】
前記第１取付部の先端部には、先端側に行くに連れて前記本体部との間の距離が次第に増加する形態のガイド部が設けられている請求の範囲第４項記載のランプ保持具。
【請求項６】
前記本体部には、前記ランプ把持部よりも高い位置に突出し着脱時に操作可能とされる操作部が、前記本体部における前記スライド方向の後側に偏心した位置に設けられている請求の範囲第３項から請求の範囲第５項のいずれか１項に記載のランプ保持具。
【請求項７】
前記操作部は、前記被取付部材に対して前記各ランプを挟んだ位置に配される面状の光学部材を支持可能とされる請求の範囲第６項記載のランプ保持具。
【請求項８】
本体部と、前記本体部に設けられランプを把持可能なランプ把持部と、前記本体部から前記ランプ把持部側とは反対側へ突出する複数の取付部とを備えるランプ保持具が取り付けられるものであって、
前記各取付部がそれぞれ挿入される複数の取付孔を有し、これら各取付孔の周縁部が前記本体部と前記取付部との間で挟持されるようになっており、且つ前記各取付孔の大きさが互いに異なるよう形成されている被取付部材。
【請求項９】
複数本のランプと、
前記各ランプが収容されるとともに、互いに大きさが異なる第１取付孔と第２取付孔とが開口して設けられる被取付部材と、
前記被取付部材に対して取り付けられる本体部と、前記本体部から前記ランプ側に突出してランプを把持可能なランプ把持部と、前記本体部から前記被取付部材側へ突出し、前記第１取付孔内に挿入されるとともに前記本体部との間で前記第１取付孔の周縁部を挟持可能な第１取付部と、前記本体部から前記被取付部材側へ突出し、前記第２取付孔内に挿入されるとともに前記本体部との間で前記第２取付孔の周縁部を挟持可能で、且つ大きさ前記第１取付部とは異なる第２取付部とを有するランプ保持具とを備え、
前記第１取付部及び前記第２取付部のうち大きい方の取付部が、前記第１取付孔及び前記第２取付孔のうち小さい方の取付孔よりも大きく形成されている照明装置。
【請求項１０】
前記被取付部材に対して前記各ランプを挟んだ位置に配される面状の光学部材を備えるとともに、前記ランプ保持具が前記被取付部材に対して複数取り付けられており、
前記各ランプ保持具は、前記本体部における偏心した位置に前記光学部材を支持可能な支持部を備え、且つ前記各支持部が前記光学部材の面方向に沿って設定された基準線側に偏心するように配置されている請求の範囲第９項記載の照明装置。
【請求項１１】
前記被取付部材に対して前記各ランプを挟んだ位置に配される面状の光学部材を備えるとともに、前記ランプ保持具が前記被取付部材に対して複数取り付けられており、
前記各ランプ保持具は、前記本体部における偏心した位置に前記光学部材を支持可能な支持部を備え、且つ前記光学部材の面方向に沿って設定された基準線から前記本体部における中心までの距離よりも、前記基準線から前記支持部までの距離の方が小さくなるよう配されている請求の範囲第９項記載の照明装置。
【請求項１２】
前記基準線は、前記光学部材における中央位置を通るよう設定されている請求の範囲第１０項または請求の範囲第１１項記載の照明装置。
【請求項１３】
前記各ランプ保持具は、前記基準線側ほど設置数が多くなるよう配置されている請求の範囲第１０項から請求の範囲第１２項のいずれか１項に記載の照明装置。
【請求項１４】
前記被取付部材における前記ランプ保持具の設置領域は、前記基準線を境に第１領域と第２領域とに分けられ、前記第１領域に対して取り付けられる第１のランプ保持具群と、前記第２領域に対して取り付けられる第２のランプ保持具群とで互いの取付状態が異なっている請求の範囲第１０項から請求の範囲第１３項のいずれか１項に記載の照明装置。
【請求項１５】
前記基準線は、前記各ランプの長さ方向とほぼ平行な向きに設定されている請求の範囲第１０項から請求の範囲第１４項のいずれか１項に記載の照明装置。
【請求項１６】
前記各ランプ保持具は、前記本体部が矩形状をなしその長さ方向が前記基準線と交差する向きに設定されるとともに、前記ランプ把持部が複数備えられ且つ各ランプ把持部が異なる前記ランプを把持するよう形成されている請求の範囲第１５項記載の照明装置。
【請求項１７】
前記本体部が矩形状をなしており、
前記支持部は、前記本体部における中心から長さ方向について偏心した位置に配されている請求の範囲第１０項から請求の範囲第１６項のいずれか１項に記載の照明装置。
【請求項１８】
前記本体部には、その長さ方向について互いに離間した位置に前記ランプ把持部が複数配置されており、
前記支持部は、前記各ランプ把持部の間の位置に配されている請求の範囲第１７項記載の照明装置。
【請求項１９】
前記光学部材は、矩形状をなしており、
前記基準線は、前記光学部材における長辺方向と平行に延びる設定とされている請求の範囲第１０項から請求の範囲第１８項のいずれか１項に記載の照明装置。
【請求項２０】
前記光学部材は、矩形状をなしており、
前記基準線は、前記光学部材における短辺方向と平行に延びる設定とされている請求の範囲第１０項から請求の範囲第１８項のいずれか１項に記載の照明装置。
【請求項２１】
前記被取付部材は、矩形状をなしており、
前記基準線は、前記被取付部材における長辺方向と平行に延びる設定とされている請求の範囲第１０項から請求の範囲第２０項のいずれか１項に記載の照明装置。
【請求項２２】
前記被取付部材は、矩形状をなしており、
前記基準線は、前記被取付部材における短辺方向と平行に延びる設定とされている請求の範囲第１０項から請求の範囲第２０項のいずれか１項に記載の照明装置。
【請求項２３】
前記ランプ保持具は、前記ランプ把持部が複数備えられ、各ランプ把持部が異なる前記ランプを把持するよう形成され、且つ各ランプ把持部間の間隔が互いに異なる設定とされている請求の範囲第９項から請求の範囲第２２項のいずれか１項に記載の照明装置。
【請求項２４】
前記各ランプは、前記被取付部材における中央側ほど分布密度が高くなるよう取り付けられており、
前記被取付部材における中央側に配される前記ランプ保持具における前記各ランプ把持部間の間隔の最大値は、そのランプ保持具よりも前記被取付部材における端側に配される前記ランプ保持具における前記各ランプ把持部間の間隔の最小値よりも小さくなるよう設定されている請求の範囲第２３項記載の照明装置。
【請求項２５】
請求の範囲第９項から請求の範囲第２４項のいずれか１項に記載の照明装置と、この照明装置の表側に配される表示パネルとからなる表示装置。
【請求項２６】
前記表示パネルは、一対の基板間に液晶を封入してなる液晶パネルとされる請求の範囲第２５項記載の表示装置。
【請求項２７】
請求の範囲第２５項または請求の範囲第２６項に記載された表示装置を備えるテレビ受信装置。
【手続補正２】
【補正対象書類名】明細書
【補正対象項目名】０００５
【補正方法】変更
【補正の内容】
【０００５】
（課題を解決するための手段）
本発明のランプ保持具は、複数本のランプが収容される被取付部材に対して取り付けられる本体部と、前記本体部における前記ランプとの対向面に設けられ、前記ランプを把持可能なランプ把持部と、前記本体部から前記被取付部材側へ突出し、前記被取付部材に形成された第１取付孔内に挿入されるとともに前記本体部との間で前記第１取付孔の周縁部を挟持可能な第１取付部と、前記本体部から前記被取付部材側へ突出し、前記被取付部材に形成された第２取付孔内に挿入されるとともに前記本体部との間で前記第２取付孔の周縁部を挟持可能で、且つ大きさが前記第１取付部とは異なる第２取付部とを備える。
【手続補正３】
【補正対象書類名】明細書
【補正対象項目名】００１３
【補正方法】変更
【補正の内容】
【００１３】
次に、上記課題を解決するために、本発明の被取付部材は、本体部と、前記本体部に設けられランプを把持可能なランプ把持部と、前記本体部から前記ランプ把持部側とは反対側へ突出する複数の取付部とを備えるランプ保持具が取り付けられるものであって、前記各取付部がそれぞれ挿入される複数の取付孔を有し、これら各取付孔の周縁部が前記本体部と前記取付部との間で挟持されるようになっており、且つ前記各取付孔の大きさが互いに異なるよう形成されている。
【手続補正４】
【補正対象書類名】明細書
【補正対象項目名】００１５
【補正方法】変更
【補正の内容】
【００１５】
次に、上記課題を解決するために、本発明の照明装置は、複数本のランプと、前記各ランプが収容されるとともに、互いに大きさが異なる第１取付孔と第２取付孔とが開口して設けられる被取付部材と、前記被取付部材に対して取り付けられる本体部と、前記本体部から前記ランプ側に突出してランプを把持可能なランプ把持部と、前記本体部から前記被取付部材側へ突出し、前記第１取付孔内に挿入されるとともに前記本体部との間で前記第１取付孔の周縁部を挟持可能な第１取付部と、前記本体部から前記被取付部材側へ突出し、前記第２取付孔内に挿入されるとともに前記本体部との間で前記第２取付孔の周縁部を挟持可能で、且つ大きさ前記第１取付部とは異なる第２取付部とを有するランプ保持具とを備え、前記第１取付部及び前記第２取付部のうち大きい方の取付部が、前記第１取付孔及び前記第２取付孔のうち小さい方の取付孔よりも大きく形成される構成とされる。
【手続補正５】
【補正対象書類名】明細書
【補正対象項目名】００２８
【補正方法】変更
【補正の内容】
【００２８】
（１２）また、前記被取付部材は、矩形状をなしており、前記基準線は、前記被取付部材における長辺方向と平行に延びる設定とされている。
【手続補正６】
【補正対象書類名】明細書
【補正対象項目名】００２９
【補正方法】変更
【補正の内容】
【００２９】
（１３）また、前記被取付部材は、矩形状をなしており、前記基準線は、前記被取付部材における短辺方向と平行に延びる設定とされている。
【国際調査報告】
2009093390.tif 000049
2009093390.tif 000050